(57)【要約】      （修正有）【課題】バックシート又はトップシートの一部分上に、何らかの種類のテクスチャ又は印刷された図形は一般には審美的に心地良い外観、フィット及び快適感を提供しない。著しいコストを追加なしに改善されたフィット、快適感、審美的に心地良い外観を提供し、かつ衣服又は肌着とより類似したテクスチャ比を有するテクスチャゾーンを有するベルト部分を有する吸収性物品を提供する。【解決手段】トップシート１３８、バックシート１３６、及びトップシートとバックシートとの間に少なくとも部分的に配置されるコア１４２を有するシャーシ１０２を有する吸収性物品１００Ｔに関し、シャーシから延在するベルト部分１０３は第１基材、第１基材に接合される第２基材、及び第１基材と第２基材との間に少なくとも部分的に配置される複数の細長い弾性要素１０５を有し、ベルト部分は約５より大きいテクスチャ比を有するテクスチャゾーンを有する。【選択図】図１
2018134435.tif 000002
【特許請求の範囲】
【請求項１】
トップシートと、バックシートと、前記トップシートと前記バックシートとの間に少なくとも部分的に配置されるコアと、を有するシャーシと、
前記シャーシから延在するベルト部分であって、第１基材と、前記第１基材に接合される第２基材と、前記第１基材と前記第２基材との間に少なくとも部分的に接着剤を介して配置される複数の細長い弾性要素と、を有するベルト部分と、
を有し、
前記接着剤は、前記第１基材および（または）前記第２基材のテクスチャゾーンのしわの頻度を定める接着パターンを有してなり、
前記テクスチャゾーンは、５より大きいテクスチャ比を有し、
前記しわの頻度は、１ｃｍあたり１〜１０であり、
前記弾性要素のそれぞれの間の距離は、少なくとも４ｍｍであり、かつ、１５ｍｍ未満であることを特徴とする、吸収性物品。
【請求項２】
前記テクスチャゾーンが、０．２５ｍｍ〜１５ｍｍの範囲のしわ振幅を有する、請求項１に記載の吸収性物品。
【請求項３】
前記第１基材と前記第２基材が入れ子構造を形成してなる、請求項１または２に記載の吸収性物品。
【請求項４】
トップシートと、バックシートと、前記トップシートと前記バックシートとの間に少なくとも部分的に配置されるコアと、を有するシャーシと、
前記シャーシから延在するベルト部分であって、第１基材と、前記第１基材に接合される第２基材と、前記第１基材と前記第２基材との間に少なくとも部分的に接着剤を介して配置される複数の細長い弾性要素と、を有するベルト部分と、
を有し、
前記接着剤は、前記第１基材および（または）前記第２基材のテクスチャゾーンのしわの頻度を定める接着パターンを有してなり、
前記テクスチャゾーンは、５より大きいテクスチャ比を有し、
前記テクスチャゾーンが、０．２５ｍｍ〜１５ｍｍの範囲のしわ振幅を有し、
前記弾性要素のそれぞれの間の距離は、少なくとも４ｍｍであり、かつ、１５ｍｍ未満であることを特徴とする、吸収性物品。
【請求項５】
前記第１基材と前記第２基材が入れ子構造を形成してなる、請求項４に記載の吸収性物品。
【請求項６】
トップシートと、バックシートと、前記トップシートと前記バックシートとの間に少なくとも部分的に配置されるコアと、を有するシャーシと、
前記シャーシから延在するベルト部分であって、第１基材と、前記第１基材に接合される第２基材と、前記第１基材と前記第２基材との間に少なくとも部分的に接着剤を介して配置される複数の細長い弾性要素と、を有するベルト部分と、
を有し、
前記接着剤は、前記第１基材および（または）前記第２基材のテクスチャゾーンのしわの頻度を定める接着パターンを有し、前記第１基材と前記第２基材は入れ子構造を形成してなり、
前記テクスチャゾーンは、５より大きいテクスチャ比を有し、
前記テクスチャゾーンのしわの頻度は、１ｃｍあたり１〜１０であることを特徴とする、吸収性物品。
【請求項７】
前記テクスチャゾーンが、０．２５ｍｍ〜１５ｍｍの範囲のしわ振幅を有する、請求項６に記載の吸収性物品。
【請求項８】
トップシートと、バックシートと、前記トップシートと前記バックシートとの間に少なくとも部分的に配置されるコアと、を有するシャーシと、
前記シャーシから延在するベルト部分であって、第１基材と、前記第１基材に接合される第２基材と、前記第１基材と前記第２基材との間に少なくとも部分的に接着剤を介して配置される複数の細長い弾性要素と、を有するベルト部分と、
を有し、
前記接着剤は、前記第１基材および（または）前記第２基材のテクスチャゾーンのしわの頻度を定める接着パターンを有し、前記接着剤は曲線状のパターンで設けられ、
前記テクスチャゾーンは、５より大きいテクスチャ比を有することを特徴とする、吸収性物品。
【請求項９】
トップシートと、バックシートと、前記トップシートと前記バックシートとの間に少なくとも部分的に配置されるコアと、を有するシャーシと、
前記シャーシから延在するベルト部分であって、第１基材と、前記第１基材に接合される第２基材と、前記第１基材と前記第２基材との間に少なくとも部分的に接着剤を介して配置される複数の細長い弾性要素と、を有するベルト部分と、
を有し、
前記接着剤は、前記第１基材および（または）前記第２基材のテクスチャゾーンのしわの頻度を定める接着パターンを有し、前記接着剤は、第１の角度で前記弾性要素に交差する第１の複数のラインと第２の角度で前記弾性要素に交差する第２の複数のラインとして設けられ、前記第１の角度と第２の角度は異なる角度であって、かつ、前記第１のラインと第２のラインは交差しており、
前記テクスチャゾーンは、５より大きいテクスチャ比を有することを特徴とする、吸収性物品。
【請求項１０】
前記しわの頻度は、１ｃｍあたり１〜１０である、請求項８または９に記載の吸収性物品。
【請求項１１】
前記弾性要素のそれぞれの間の距離は、少なくとも４ｍｍであり、かつ、１５ｍｍ未満である、請求項８〜１０のいずれか一項に記載の吸収性物品。
【請求項１２】
前記テクスチャゾーンが、０．２５ｍｍ〜１５ｍｍの範囲のしわ振幅を有する、請求項８〜１１のいずれか一項に記載の吸収性物品。
【請求項１３】
前記第１基材と前記第２基材が入れ子構造を形成してなる、請求項８〜１２のいずれか一項に記載の吸収性物品。
【請求項１４】
トップシートと、バックシートと、前記トップシートと前記バックシートとの間に少なくとも部分的に配置されるコアと、を有するシャーシと、
前記シャーシから延在するベルト部分であって、前記ベルト部分は、第１基材と、前記第１基材に接合される第２基材、および前記第１基材と前記第２基材との間に少なくとも部分的に第１の接着剤を介して配置される第１の複数の細長い弾性要素を含んでなり、
前記第１の接着剤は、前記第１基材および（または）前記第２基材の第１のテクスチャゾーンのしわの頻度を定める第１の接着パターンを有しており、
前記ベルト部分は、さらに、前記第１基材と前記第２基材との間に少なくとも部分的に第２の接着剤を介して配置される第２の複数の細長い弾性要素を含んでなり、
前記第１の接着剤は、前記第１基材および（または）前記第２基材の第２のテクスチャゾーンのしわの頻度を定める第２の接着パターンを有しており、
前記第１のテクスチャゾーンは、３〜３５の範囲のテクスチャ比を有し、かつ、
前記第１のテクスチャゾーンのしわの頻度は、１ｃｍあたり１〜１０であることを特徴とする、吸収性物品。
【請求項１５】
前記第２のテクスチャゾーンは、３〜３５の範囲のテクスチャ比を有する、請求項１４に記載の吸収性物品。
【請求項１６】
前記ベルト部分が、さらに、非テクスチャゾーンを有する、請求項１４または１５に記載の吸収性物品。
【請求項１７】
前記ベルト部分は、第１ベルト部分であり、前記シャーシから延在する第２ベルト部分を有し、
前記第２ベルト部分は、第３基材、前記第３基材に接合される第４基材、及び前記第３基材と前記第４基材との間に少なくとも部分的に配置される第３の複数の細長い弾性要素を有し、
前記第２ベルト部分は、第３のテクスチャゾーンを有し、
前記第３のテクスチャゾーンは前記第１のテクスチャゾーンまたは前記第２のテクスチャゾーンと同じである、請求項１４〜１６のいずれか一項に記載の吸収性物品。
【請求項１８】
前記弾性要素は、互いに対して均一に離間配置されている、請求項１〜１７のいずれか一項に記載の吸収性物品。
【請求項１９】
前記弾性要素は、互いに対して均一に離間配置されていない、請求項１〜１７のいずれか一項に記載の吸収性物品。
【請求項２０】
前記第１基材は、前記テクスチャゾーンのしわの頻度を定める結合パターンによって一体に接合された２つの基材を有する積層体を有する、請求項１〜１９のいずれか一項に記載の吸収性物品。
【請求項２１】
前記第１基材が、前記シャーシまで延長されて外側カバー基材を形成する、請求項１〜２０のいずれか一項に記載の吸収性物品。
【発明の詳細な説明】
【技術分野】
【０００１】
本開示は、一般にはテクスチャ比を有するテクスチャゾーンを備えたベルト部分を有する吸収性物品に関する。
【背景技術】
【０００２】
乳幼児、小児、及び他の失禁症者は、尿及び他の身体排出物を受容し収容するために、おむつなどの使い捨て吸収性物品を着用する。テープ型おむつは乳幼児及び幼い小児向けに一般的であり、一方でトレーニングパンツ又はプルオンおむつは、歩行することができ、かつトイレットトレーニング中であることが多い年長の小児（例えば３〜５歳）又はその他の失禁症者への使用向けに人気を持つようになった。様々な使い捨て吸収性物品は、審美的目的のために、その衣類に面する表面すなわちバックシート又は着用者に面する表面すなわちトップシートの一部分上に、何らかの種類のテクスチャ又は印刷された図形を有する。これらのテクスチャは一般には審美的に心地良い外観、フィット、及び快適感を提供しない。吸収性物品の製造にコスト又は著しいコストを追加することなしに、改善されたフィット、快適感、審美的に心地良い外観を提供し、かつ衣服又は肌着とより類似したテクスチャ比を有するテクスチャゾーンを有するベルト部分を有する吸収性物品を提供することが望ましいと考えられる。
【発明の概要】
【課題を解決するための手段】
【０００３】
一形態では、本開示は、部分的には、トップシート、バックシート、及びトップシートとバックシートとの間に少なくとも部分的に配置されるコアを有するシャーシを有する吸収性物品に関する。吸収性物品は、シャーシから延在するベルト部分を有する。ベルト部分は、第１基材、第１基材に接合される第２基材、及び第１基材と第２基材との間に少なくとも部分的に配置される複数の細長い弾性要素を有し得る。ベルト部分は、約５より大きい、５より大きい、又は５より大きく、２５未満のテクスチャ比を有するテクスチャゾーンを有し得る。
【０００４】
別の形態では、本開示は、部分的には、トップシート、バックシート、及びトップシートとバックシートとの間に少なくとも部分的に配置されるコアを含むシャーシを備えた吸収性物品に関する。吸収性物品は、シャーシから延在するベルト部分を備える。ベルト部分は、約５〜約２０の、約５より大きい、又は５より大きいテクスチャ比を有する伸縮性部分を含み得る。伸縮性部分は、ベルト部分内に単一の均一なテクスチャを形成し得る。
【０００５】
更に別の形態では、本開示は、部分的に、トップシート、バックシート、及びトップシートとバックシートとの間に少なくとも部分的に配置されるコアを有するシャーシを有する吸収性物品に関する。吸収性物品は、シャーシから延在するベルト部分を有する。ベルト部分は、第１基材、第１基材に接合される第２基材、及び第１基材と第２基材との間に少なくとも部分的に配置される複数の細長い弾性要素を有し得る。ベルト部分は、約５より大きい、５〜２０の、又は５より大きいテクスチャ比を有するテクスチャゾーンを有し得る。各弾性要素の間の距離は、少なくとも４ｍｍで、かつ３５ｍｍ未満、又は少なくとも６ｍｍで、かつ１５ｍｍ未満であり得る。細長い弾性要素は、第１基材の部分又は第２基材の部分に接着接合されてもよい。
【図面の簡単な説明】
【０００６】
添付の図面と関連してなされる本開示の非限定的な実施形態の以下の説明を参照すれば、本開示の上記の及び他の特徴と利点、並びにそれらを達成する方法がより明らかとなり、また本開示自体がより良好に理解されよう。
【図１】非限定的な一実施形態による、衣類に面する表面が読者に向かって配向されるテープ型おむつの部分切り取り平面図。
【図１Ａ】非限定的な一実施形態による、着用者に面する表面が読者に向かって配向される図１のテープ型おむつの平面図。
【図２】非限定的な一実施形態による、ベルト部分のシャーシの第１端部分から延在するベルト部分を有するパンツ型おむつの部分切り取り平面図。
【図３】非限定的な一実施形態による、シャーシの第１端部分から延在する第１ベルト部分、及びシャーシの第２端部分から延在する第２ベルト部分を有するパンツ型おむつの部分切り取り平面図。
【図３Ａ】非限定的な一実施形態による、図３の線３Ａ−３Ａについて取られた第１ベルト部分の断面図の例。
【図４】非限定的な一実施形態による、折り畳まれた構成の図１のテープ型おむつの正面斜視図。
【図５】非限定的な一実施形態による、ベルト部分が対向する腰部区域に接合する、図２のパンツ型おむつの斜視図。
【図６】非限定的な一実施形態による、ベルト部分が対向する腰部区域に接合する、図３のパンツ型おむつの斜視図。
【図７】非限定的な一実施形態による、シャーシ並びにシャーシの第１及び第２端部分から延在する２のベルト部分を有するパンツ型おむつの平面図。
【図８ａ】様々な非限定的な実施形態による、図７の線８−８について取られた断面構造の例。
【図８ｂ】様々な非限定的な実施形態による、図７の線８−８について取られた断面構造の例。
【図８ｃ】様々な非限定的な実施形態による、図７の線８−８について取られた断面構造の例。
【図８ｄ】様々な非限定的な実施形態による、図７の線８−８について取られた断面構造の例。
【図８ｅ】様々な非限定的な実施形態による、図７の線８−８について取られた断面構造の例。
【図８ｆ】様々な非限定的な実施形態による、図７の線８−８について取られた断面構造の例。
【図８ｇ】様々な非限定的な実施形態による、図７の線８−８について取られた断面構造の例。
【図９】非限定的な一実施形態による、吸収性物品の部分として使用するために構成されたベルト部分。
【図１０Ａ】様々な非限定的な実施形態による、本開示のベルト部分内で使用するための弾性要素の断面図。
【図１０Ｂ】様々な非限定的な実施形態による、本開示のベルト部分内で使用するための弾性要素の断面図。
【図１０Ｃ】様々な非限定的な実施形態による、本開示のベルト部分内で使用するための弾性要素の断面図。
【図１０Ｄ】様々な非限定的な実施形態による、本開示のベルト部分内で使用するための弾性要素の断面図。
【図１０Ｅ】様々な非限定的な実施形態による、本開示のベルト部分内で使用するための弾性要素の断面図。
【図１０Ｆ】様々な非限定的な実施形態による、本開示のベルト部分内で使用するための弾性要素の断面図。
【図１１】様々な非限定的な実施形態による、背景パターン及びマクロパターンを形成するテクスチャゾーン、並びに非テクスチャゾーンを含むベルト部分を有する吸収性物品の概略図。
【図１２】様々な非限定的な実施形態による、背景パターン及びマクロパターンを形成するテクスチャゾーン、並びに非テクスチャゾーンを含むベルト部分を有する吸収性物品の概略図。
【図１３】様々な非限定的な実施形態による、背景パターン及びマクロパターンを形成するテクスチャゾーン、並びに非テクスチャゾーンを含むベルト部分を有する吸収性物品の概略図。
【図１４】様々な非限定的な実施形態による、背景パターン及びマクロパターンを形成するテクスチャゾーン、並びに非テクスチャゾーンを含むベルト部分を有する吸収性物品の概略図。
【図１５】様々な非限定的な実施形態による、背景パターン及びマクロパターンを形成するテクスチャゾーン、並びに非テクスチャゾーンを含むベルト部分を有する吸収性物品の概略図。
【図１６】様々な非限定的な実施形態による、背景パターン及びマクロパターンを形成するテクスチャゾーン、並びに非テクスチャゾーンを有するベルト部分を備える吸収性物品の図。
【図１７】様々な非限定的な実施形態による、背景パターン及びマクロパターンを形成するテクスチャゾーン、並びに非テクスチャゾーンを有するベルト部分を備える吸収性物品の図。
【図１８】様々な非限定的な実施形態による、背景パターン及びマクロパターンを形成するテクスチャゾーン、並びに非テクスチャゾーンを有するベルト部分を備える吸収性物品の図。
【図１９】非限定的な一実施形態による、２のテクスチャゾーンを有するベルト部分の部分切り取り平面図。
【図１９Ａ】非限定的な一実施形態による、線１９Ａ−１９Ａについて取られた図１９の２のテクスチャゾーンの断面図の例。
【図２０Ａ】非限定的な一実施形態による、吸収性物品内のテクスチャゾーンの例の透視図。
【図２０Ｂ】非限定的な一実施形態による、第１倍率を用いて線ＭＤについて取られた、図２０Ａのテクスチャゾーンの断面図。
【図２０Ｃ】非限定的な一実施形態による、第２倍率を用いて線ＭＤについて取られた、図２０Ａのテクスチャゾーンの断面図。
【図２０Ｄ】非限定的な一実施形態による、図２０Ａのテクスチャゾーンの一部分の、線ＭＤについての透視図。
【図２０Ｅ】非限定的な一実施形態による、図２０Ａのテクスチャゾーンの一部分の、線ＭＤについての別の透視図。
【図２０Ｆ】非限定的な一実施形態による、第３倍率を用いて線ＭＤについて取られた、図２０Ａのテクスチャゾーンの断面図。
【図２１Ａ】非限定的な一実施形態による、図２０Ａのテクスチャゾーンの一部分の、線ＣＤについての透視図。
【図２１Ｂ】様々な非限定的な実施形態による、第１倍率を用いて線ＣＤについて取られた、図２０Ａのテクスチャゾーンの断面図。
【図２１Ｃ】様々な非限定的な実施形態による、第１倍率を用いて線ＣＤについて取られた、図２０Ａのテクスチャゾーンの断面図。
【図２１Ｄ】様々な非限定的な実施形態による、第２倍率を用いて線ＣＤについて取られた、図２０Ａのテクスチャゾーンの断面図。
【図２１Ｅ】様々な非限定的な実施形態による、第２倍率を用いて線ＣＤについて取られた、図２０Ａのテクスチャゾーンの断面図。
【図２１Ｆ】様々な非限定的な実施形態による、第２倍率を用いて線ＣＤについて取られた、図２０Ａのテクスチャゾーンの断面図。
【図２１Ｇ】様々な非限定的な実施形態による、第２倍率を用いて線ＣＤについて取られた、図２０Ａのテクスチャゾーンの断面図。
【図２２Ａ】様々な非限定的な実施形態による、基材上及び／又は弾性要素の部分上の接着剤パターンの例。
【図２２Ｂ】様々な非限定的な実施形態による、基材上及び／又は弾性要素の部分上の接着剤パターンの例。
【図２２Ｃ】様々な非限定的な実施形態による、基材上及び／又は弾性要素の部分上の接着剤パターンの例。
【図２２Ｄ】様々な非限定的な実施形態による、基材上及び／又は弾性要素の部分上の接着剤パターンの例。
【図２２Ｅ】様々な非限定的な実施形態による、基材上及び／又は弾性要素の部分上の接着剤パターンの例。
【図２２Ｆ】様々な非限定的な実施形態による、基材上及び／又は弾性要素の部分上の接着剤パターンの例。
【図２３Ａ】基材が主繊維結合部のパターン（fiber bond patterns）及びその内部に形成された高密度区域を有する、様々な非限定的な実施形態による、吸収性物品のベルト部分を形成するために用いられる基材の平面図。
【図２３Ｂ】基材が主繊維結合部のパターン（fiber bond patterns）及びその内部に形成された高密度区域を有する、様々な非限定的な実施形態による、吸収性物品のベルト部分を形成するために用いられる基材の平面図。
【図２４】非限定的な一実施形態による、高密度区域のパターン及び弾性要素の平面図。
【図２５Ａ】非限定的な一実施形態による、第１基材上の高密度区域の平面図。
【図２５Ｂ】非限定的な一実施形態による、第１基材上の主繊維結合部の平面図。
【図２６】非限定的な一実施形態による、本開示の吸収性物品を含む様々な吸収性物品のテクスチャ比のグラフ図。
【図２７】非限定的な一実施形態による、本開示の吸収性物品を含む様々な吸収性物品のテクスチャ比の別のグラフ図。
【発明を実施するための形態】
【０００７】
本明細書に開示される、テクスチャ比を有するテクスチャゾーンを備えたベルト部分を有する吸収性物品の、構造、機能、製造、及び使用の原理、並びにその製造方法について、総合的な理解を提供するために、本開示の様々な非限定的実施形態を以下に説明する。これらの非限定的な実施形態の１又は複数の実施例を添付の図面に示す。当業者は、本明細書に記載され、かつ添付の図面に示されるテクスチャ比を有するテクスチャゾーンを備えたベルト部分を有する吸収性物品及びその製造方法は、非限定的な実施形態の例であり、本開示の様々な非限定的実施形態の範囲は、特許請求の範囲によってのみ定義されることを理解するであろう。１の非限定的な実施形態に関して示される、又は説明される特徴は、他の非限定的な実施形態の特徴と組み合わせてもよい。そのような修正及び変形は、本開示の範囲に含まれることが意図される。
【０００８】
本開示を理解する上で、以下の用語の説明が有用であり得る。
「吸収性物品（単数及び複数）」は、本明細書において、その主な機能が汚物及び排泄物を吸収及び保持することである消費者製品を指すために使用される。吸収性物品は、パンツ型おむつ及び／又はテープ型おむつを指し得る。「おむつ」及び「パンツ」という用語は、本明細書において、一般に乳幼児、小児及び失禁者が下部胴体の周りに着用する吸収性物品を指すために使用される。本明細書では、用語「使い捨て」は、洗濯、又は他の方法で吸収性物品として修復若しくは再使用することを一般に意図しない吸収性物品を説明するために使用される（例えば、その物品を、１回の使用後に廃棄することを意図し、またリサイクルするか、堆肥化するか、そうでなければ環境に適応した方法で処分するように構成されても良い）。
【０００９】
本明細書で使用するとき、用語「弾性要素」は、弾性特性を示す材料を指し、この材料が、その弛緩した初期長さに対して力を適用したときに、その初期長さの１０％以上の伸長長さに伸張又は伸長することができ、かつ適用した力が解放された後、実質的にほぼその初期長さに回復する任意の材料を含む。
【００１０】
用語「接合された」、「取り付けられた」、又は「係合された」は、一方の要素を別の要素に直接付着させることによりその要素をもう一方の要素に直接固定させる構成と、一要素を中間部材（単数又は複数）に付着させ、次にその中間部材を別の要素に付着させることによりその要素をもう一方の要素に間接的に固定させる構成とを含む。
【００１１】
本明細書で使用するとき、用語「長手方向」は、吸収性物品が平らに延ばされた非収縮状態であるときに吸収性物品の第１腰部開口部縁部から長手方向に対向する第２腰部開口部縁部までを、又は、２つ折りにされた物品では、腰部開口部縁部から股部区域の底部（すなわち、２つ折りの吸収性物品では折り目）までを、実質的に垂直に延びる方向を意味する。長手方向から４５度以内の方向は、「長手方向である」と考えられる。
【００１２】
本明細書で使用するとき、用語「横方向」とは、吸収性物品の第１長手方向に延在する側縁部から、横方向に対向する、長手方向に延在する第２側縁部まで走り、かつ長手方向に対してほぼ直角である、方向を指す。横方向の４５度以内の方向は「横方向」であると見なされる。
【００１３】
本明細書で使用するとき、用語「基材」は、主に２次元（すなわち、ＸＹ平面）であり、厚さ（Ｚ方向）がその長さ（Ｘ方向）及び幅（Ｙ方向）と比べて比較的小さい（すなわち１／１０以下）材料を説明するために用いられる。基材の非限定的な例は、例えばウェブ、層（単数及び複数）若しくは繊維性材料、不織布、高分子フィルム又は金属箔などのフィルム及び箔を有する。これらの材料は、単独で使用されてもよく、又は一緒に積層化された２以上の層を有してもよい。そのため、ウェブは基材である。
【００１４】
本明細書で使用するとき、用語「不織布」又は「不織布材料」は、スパンボンド法、メルトブロー法、カーディング法などのプロセスによって、連続的な（長い）フィラメント（繊維）及び／又は非連続的な（短い）フィラメント（繊維）から作製された材料を指すために用いられる。不織布は、定められた織り又は編みのフィラメントパターンを有しない。
【００１５】
用語「機械方向」（ＭＤ）は、本明細書において、プロセスを通過する材料の方向を指すために用いられる。加えて、材料の相対的配置及び動きは、プロセスの上流からプロセスの下流へと、プロセスを通して機械方向に流れるものとして記述することができる。
【００１６】
用語「交差方向」（ＣＤ）は、本明細書において、機械方向に対してほぼ垂直な方向を指すために使用される。
【００１７】
本明細書で使用するとき、用語「テープ型おむつ」とは、着用者に適用される前のパッケージに入っているとき、互いに締結、予備締結、又は連結されていない初期状態の前側すなわち第１腰部区域及び初期状態の後側すなわち第２腰部区域を有する、使い捨て吸収性物品を指す。テープ型おむつは、腰部区域を一緒に締結又は接合することなく、１の腰部区域の内部が対向する腰部区域の内部と表面同士が接触する状態で、横方向中心線の周囲で折り畳まれてもよい。様々な好適な構成で開示されたテープ型おむつの例は、米国特許第５，１６７，８９７号、同第５，３６０，４２０号、同第５，５９９，３３５号、同第５，６４３，５８８号、同第５，６７４，２１６号、同第５，７０２，５５１号、同第５，９６８，０２５号、同第６，１０７，５３７号、同第６，１１８，０４１号、同第６，１５３，２０９号、同第６，４１０，１２９号、同第６，４２６，４４４号、同第６，５８６，６５２号、同第６，６２７，７８７号、同第６，６１７，０１６号、同第６，８２５，３９３号、及び同第６，８６１，５７１号に開示される。
【００１８】
本明細書中、用語「パンツ」（本明細書中では「おむつパンツ」又は「パンツ型おむつ」とも称される）は、幼児又は成人の着用者のために設計された、連続的な腰部開口部外辺部及び連続的な脚部開口部外辺部を有する、使い捨て吸収性物品を指すために用いられる。パンツは、吸収性物品が着用者に適用される前に、連続的なすなわち閉じた腰部開口部、及び少なくとも１の連続的な閉じた脚部開口部を有して構成され得る。パンツは、任意の再締結可能な及び／又は恒久的なクロージャ部材（例えば、シーム、熱結合、圧力溶接、接着剤、粘着結合、機械式締結具など）を用いて物品の部分を一緒に接合することが挙げられるが、これらに限定されない様々な技術で予備成形され得る。パンツは、吸収性物品の腰部区域の周辺部に沿った任意の場所で予備成形され得る（例えば、側部を締結又はシームされて、前側腰部を締結又はシームされて、後側腰部を締結又はシームされて）。パンツは、側部シームの一方又は両方の周辺で、開放されており、続いて再締結され得る。様々な構成のおむつパンツの例は、米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、及び米国特許公開第２００３／０２３３０８２号に開示される。
【００１９】
本明細書中、用語「初期腰部開口部周辺部」とは、パンツがパッケージに封入されるとき、及びその後、それが消費者によってパッケージから取り出されるときの、腰部開口部の周辺部を指す。
【００２０】
本明細書で使用するとき、用語「テクスチャゾーン」又は「伸縮性テクスチャゾーン」は、弛緩状態で機械方向と交差方向との一方又は両方における頻度範囲、振幅、及び／又は表面形状によって説明し得る複数のしわを有する吸収性物品の伸縮性区域を指す。伸長状態では、テクスチャゾーンのしわの頻度は、引き起こされた伸長に比例して低下する。各テクスチャゾーンは少なくとも１の基材及び少なくとも１の弾性要素を有し得る。特定の場合では、テクスチャゾーンは２の基材及び複数の弾性要素を有し得る。
【００２１】
本明細書で使用するとき、用語「背景パターン」は、吸収性物品の一部分に背景幕又はベースパターンを形成するテクスチャゾーンを指す。背景パターンは、吸収性物品の一部分のマクロパターンを形成するテクスチャゾーンを包囲する、又は少なくとも部分的に包囲し得る。背景パターンは、吸収性物品の一部分の二次パターンとして考えられ得る。
【００２２】
本明細書で使用するとき、用語「マクロパターン」は、吸収性物品のパターンにおける主要部分又は要素を形成し、また背景パターンによって包囲されている、又は少なくとも部分的に包囲されているテクスチャゾーンを指す。
【００２３】
本明細書で使用するとき用語「しわ（単数又は複数）」は、弾性要素が弛緩状態又は部分的に弛緩状態にあるときに、基材に取り付けられたか又は別の方法で係合された弾性要素に隣接する基材内に形成される、隆起、ひだ、及び／又は折り目を意味し得る。各しわは０．２５ｍｍの最低振幅を有する。
【００２４】
様々な基材が、バックシート、トップシート、ベルト部分及び吸収性コアなど、吸収性物品の様々な構成要素を構築するために使用され得る。テープ型おむつ及びパンツ型おむつの双方に関する吸収性物品構成要素の説明の例を、下記に提供する。
【００２５】
以下、様々な種類のテープ型おむつ及びパンツ型おむつの一般的な説明を提供する。図１は、テープ型おむつ１００Ｔの平面図の一実施例を示し、ここでは衣類に面する表面が読者に向かって配向されている。図１Ａは、テープ型おむつ１００Ｔの平面図を示し、ここでは着用者に面する表面が読者に向かって配向されている。図１及び１Ａに示すテープ型おむつ１００Ｔは、シャーシ１０２、第１及び第２後部耳部１０４及び１０６を有するベルト部分１０３、並びに第１及び第２前部耳部１０８及び１１０を有し得る。第１及び第２後部耳部１０４及び１０６は、ベルト部分１０３と一体形成され得る。ベルト部分１０３は、内部に１又は複数の弾性要素又は弾性スタンド（elastic stands）１０５を有し得る。図示されていないが、前部耳部１０８及び１１０は弾性要素すなわちストランドを有する第２ベルト部分から形成されてもよい。図２は、平坦な、折り畳まれていない状態で、衣類に面する表面が読者に向かって配向しているおむつパンツ１００Ｐの平面図を示す。図２に示すパンツ型おむつ１００Ｐは、シャーシ１０２並びに、第１及び第２ベルト耳部１１２及び１１４を有する又は形成するベルト部分１１１を更に有する。ベルト部分１１１は、その内部に位置付けられた弾性要素すなわち弾性ストランド１０５を更に有し得る。図３は、平坦な、折り畳まれていない状態で、衣類に面する表面が読者おむつに向かって配向しているおむつパンツ１００Ｐ及びシャーシ１０２を示す。しかし、図３のおむつパンツ１００Ｐは、第２ベルト部分１１１ｂ内に形成された第１及び第２後側ベルト耳部１１２ｂ及び１１４ｂ、並びに第１ベルト部分１１１ａ内に形成された第１及び第２前側ベルト耳部１１２ａ及び１１４ａを有する。様々な実施形態では、ベルト部分１１１ｂ及び１１１ａは、シャーシ１０２から横方向及び長手方向の両方で延在してもよく、シャーシ１０２に、その着用者に面する表面又は衣類に面する表面のいずれかの上で接合されてもよく、又はシャーシ１０２の一部分を形成するために用いられる１又は複数の材料と一体に形成されてもよい。
【００２６】
パンツ型おむつ及びテープ型おむつは、はっきりと異なる特徴及び構成要素を有し得るものの、テープ型おむつ及びパンツオムツは、配置、構造、寸法、外観などに関して同じ、実質的に同じ、又は類似する多くの特徴及び構成要素を有し得ることを理解されたい。特定の例示目的のため、図１〜６に示すテープ型おむつとパンツ型おむつとの間で異なる特徴及び／又は構成要素について論じる前に、テープ型おむつ及びパンツ型おむつの様々な共通の構成要素について以下で説明する。
【００２７】
図１〜３に示されるように、おむつ１００Ｔ及び１００Ｐは、第１腰部区域１１６、第２腰部区域１１８、及び、第１腰部区域と第２腰部区域との間に配置される股部区域１２０を有するものとして示される。第１腰部区域１１６は、前側腰部区域として構成されてもよく、また第２腰部区域１１８は、後側腰部区域として構成されてもよい。いくつかの実施形態では、前側腰部区域１１６、後側腰部区域１１８、及び股部区域１２０のそれぞれの長さは、吸収性物品１００Ｐ及び１００Ｔの長さの１／３であってもよい。吸収性物品１００Ｐ及び１００Ｔ、特にベルト部分はそれぞれ、前側腰部区域１１６に横方向に延在する前側腰部開口部縁部１２１、及び後側腰部区域１１８に長手方向に対向し、かつ横方向に延在する後側腰部開口部縁部１２２を有してもよい。一実施形態では、前側腰部開口部縁部１２１及び後側腰部開口部縁部１２２は、長手方向に離間配置されたベルト部分の縁部によって形成されてもよい。本考察に関する基準枠を提供するため、図１〜３のおむつ１００Ｔ及び１００Ｐは、長手方向軸線１２４及び横方向軸線１２６を伴って示される。長手方向軸線１２４は、前側腰部開口部縁部１２１の中点を通り、かつ後側腰部開口部縁部１２２の中点を通って延在し得る。同様に、横方向軸線１２６は、第１長手方向、すなわち右側縁部１２８の中点を通り、かつ第２長手方向、すなわち左側縁部１３０を通って延在し得る。
【００２８】
図１〜３に示す通り、吸収性物品１００Ｔ及び１００Ｐは、内側の着用者に面する表面１３２、及び外側の衣類に面する表面１３４をそれぞれ有し得る。シャーシ１０２は、バックシート１３６及びトップシート１３８を有し得る。吸収性コア１４２を含む吸収性アセンブリ１４０は、トップシート１３８の一部分とバックシート１３６の一部分との間に配置され得る。シャーシ１０２は、第１腰部区域１１６に第１端部分、及び第２腰部区域１１８に第２端部分を有し得る。１又は複数のベルト部分は、吸収性物品の特定の所望される構成に応じて、シャーシ１０２の第１端部分及び第２端部分のうちの一方又は両方から延在しても、シャーシ１０２の第１端部分及び第２端部分のうちの一方又は両方に取り付けられても、シャーシ１０２の第１端部分及び第２端部分のうちの一方又は両方に接合されても、又はシャーシ１０２の第１端部分及び第２端部分のうちの一方又は両方と合わせて形成されてもよい。以下でより詳細に論じるように、おむつ１００Ｔ及び１００Ｐはまた、脚部弾性素材、弾性若しくは延伸性の腰部区域、及び／又はフラップ（例えばベルト耳部）などの、着用者の脚部及び腰部周囲へのフィットを促進するためのその他の特徴を有してもよい。例として特に図３を参照すると、シャーシ１０２の第１腰部区域１１６は前側腰部開口部縁部１２１の一部分を形成することができ、及び／又はシャーシ１０２の第２腰部区域１１８は、後側腰部開口部縁部１２２の一部分を形成することができる。あるいは、ベルト部分１１１ａは、前側腰部開口部縁部１２１の一部分又は全部を形成することができ、及び／又はベルト部分１１１ｂは、後側腰部開口部縁部１２２の一部分又は全部を形成することができる。当業者は、これはシャーシ１０２上のベルト部分１１１ａ及び１１１ｂの配置に左右され得るということを理解するであろう。ベルト部分１１１ａは第１及び第２脚部開口部縁部１２７ａを有し得て、ベルト部分１１１ｂは第１及び第２脚部開口部縁部１２７ｂを有し得る。ベルト部分１１１ａは側縁部１３５ａを有し得て、ベルト部分１１１ｂは側縁部１３５ｂを有し得る。
【００２９】
一実施形態では、図３の線３Ａ−３Ａについて取った断面図の例である図３Ａを参照すると、各ベルト部分１１１ａ又は１１１ｂは第１基材１２９及び第２基材１３１を有し得る。第１基材１２９は、第２基材１３１に取り付けられ得る。一実施形態では、１又は複数の弾性要素すなわち弾性ストランド１０５は、第１基材１２９と第２基材１３１との間に位置付けられ又は配置され得る。第１基材１２９は、１又は複数の弾性要素すなわち弾性ストランド１０５によって第２基材１３１に取り付けられ得る。換言すれば、基材１２９及び１３１のうちの一方又は両方は、１又は複数の弾性要素１０５に取り付け又は接着剤取り付けされ得る。他の実施形態では、第１及び第２基材１２９及び１３１のうちの一方のみが弾性要素１０５に取り付けられ得て、第１基材１２９は第２基材１３１に結合、接合、取り付け、又は接着剤取り付けされ得る（例えば、破線で示される結合部１３３を参照）。一実施形態では、第１及び第２基材１２９及び１３１は、本明細書により詳細に説明する織布若しくは不織布材料又は様々な種類のフィルムを有してもよい。
【００３０】
一実施形態では、図１〜３を参照すると、シャーシ１０２の外周部は、第１長手方向側縁部１２８、第２長手方向側縁部１３０、第１腰部区域１１６内に配置される第１横方向に延在する端縁部１４４、及び第２腰部区域１１８内に配置される第２横方向に延在する端縁部１４６によって画定され得る。あるいは、第１腰部区域１１６に配置された第１横方向に延在する端縁部１４４、及び第２腰部区域１１８に配置された第２横方向に延在する終縁部１４６は、ベルト部分１１１ａ及び１１１ｂによって重ね合わされ得る。側縁部１２８及び１３０の双方は、少なくとも部分的に前側腰部縁部１２１と後側腰部縁部１２２との間に長手方向に延在する。シャーシ１０２の横方向に延在する端縁部１４４及び１４６は、ベルト部分によって重ね合わせられない限り、前側腰部区域１１６内で横方向に延在する前側腰部縁部１２１の一部分と、長手方向に対向し、後側腰部区域１１８内で横方向に延在する後側腰部縁部１２２の一部分と、を形成し得る。テープ型おむつ１００Ｔか又はパンツ型おむつ１００Ｐかのどちらかが、着用者の下部胴体上に着用されているとき、前側腰部縁部１２１及び後側腰部縁部１２２は、着用者の腰部の一部分を取り囲み得る。同時に、シャーシ側縁部１２８及び１３０並びに脚部開口部縁部１２７ａ及び１２７ｂ（図３を参照）は、着用者の脚部の一部分を取り囲み得る。股部区域１２０は一般に着用者の脚部の間に位置付けられる場合があり、その際吸収性コア１４２は前側腰部区域１１６から股部区域１２０を通って後側腰部区域１１８まで延在する。
【００３１】
上述したように、テープ型おむつ及びパンツ型おむつ１００Ｔ及び１００Ｐは、バックシート１３６を有し得る。バックシート１３６は、シャーシ１０２の外側表面すなわち衣類に面する表面１３４を画定し得る。バックシート１３６は、流体（例えば、経血、尿及び／又は液状の糞便）に対して不透過性又は実質的に不透過性であってもよく、かつ薄いプラスチックフィルムから製造されてもよいが、他の可撓性の液体不透過性材料が使用されてもよい。バックシート１３６は、吸収性コア１４２中に吸収及び含有された滲出物が、例えば、ベッドシート、パジャマ、及び下着などの、おむつ１００Ｔ及び１００Ｐに接触する物品を濡らすことを防ぐか、又は少なくとも抑制し得る。バックシート１３６はまた、織布若しくは不織布材料、ポリエチレン若しくはポリプロピレンの熱可塑性フィルムなどの高分子フィルム、並びに／又はフィルム及び不織布材料を有する多層若しくは複合材料（例えば、内側フィルム層及び外側不織布層を有する）を有してもよい。バックシート１３６はまた、エラストマーフィルムを有してもよい。バックシート例１３６は、約０．０１２ｍｍ（０．５ｍｉｌ）〜約０．０５１ｍｍ（２．０ｍｉｌ）の厚さを有するポリエチレンフィルムであってもよい。ポリエチレンフィルムの例としては、Ｃｌｏｐａｙ  Ｃｏｒｐｏｒａｔｉｏｎ（Ｃｉｎｃｉｎｎａｔｉ，Ｏｈｉｏ）によってＢＲ−１２０及びＢＲ−１２１の製品名にて、またＴｒｅｄｅｇａｒ  Ｆｉｌｍ  Ｐｒｏｄｕｃｔｓ（Ｔｅｒｒｅ  Ｈａｕｔｅ，Ｉｎｄｉａｎａ）によってＸＰ−３９３８５の製品名にて製造されるものがある。バックシート１３６にはまた、布地に近い外観を与えるためにエンボス加工及び／又はつや消し仕上げを施してもよい。更に、バックシート１３６は、蒸気を吸収性コア１４２から逃がしながらも（すなわち、バックシートは通気性である）、滲出物がバックシート１３６を通過するのを防ぐか、又は少なくとも抑制することができる。バックシート１３６のサイズは、吸収性コア１４２のサイズ及び／若しくは特定の構成、又はおむつ１００Ｔ及び１００Ｐのサイズによって、決定付けられ得る。
【００３２】
上述したように、テープ型おむつ及びパンツ型おむつ１００Ｔ及び１００Ｐは、トップシート１３８を有し得る。トップシート１３８は、シャーシ１０２の内側表面すなわち着用者に面する表面１３２の全て又は部分を画定し得る。トップシート１３８は、順応性で、柔らかな感触であり、及び／又は着用者の皮膚に対して非刺激性であり得る。トップシートは、一方向又は二方向に弾性的に伸張可能であってもよい。更にトップシート１３８は、液体透過性であってもよく、液体（経血、尿、及び／又は液状の糞便など）を、その厚みを通して容易に浸透させる。好適なトップシート１３８は、織布及び不織布材料、有孔若しくはハイドロフォーミングされた熱可塑性フィルム、有孔不織布、多孔質発泡体、網状発泡体、網状熱可塑性フィルム、及び熱可塑性スクリムなどの、広範な材料から製造され得る。好適な織布及び不織布材料は、木質繊維若しくは綿繊維などの天然繊維、ポリエステル、ポリプロピレン、若しくはポリエチレン繊維などの合成繊維、又はこれらの組み合わせを有し得る。トップシート１３８が繊維を有する場合、繊維は、スパンボンド法、カード法、湿式堆積法、メルトブロー法、水流交絡法、又は当該技術分野において一般的に既知の別の方法で処理してもよい。
【００３３】
トップシート１３８は、高ロフト不織布トップシート、有孔フィルムトップシート及び有孔不織布トップシートから選択されてもよい。有孔フィルムトップシートは、身体滲出物に対して透過性であるが、非吸収性であり、流体を通過して戻らせ、着用者の皮膚を再び濡らす傾向を低減する場合がある。有孔フィルムの例は、米国特許第５，６２８，０９７号、同第５，９１６，６６１号、同第６，５４５，１９７号、及び同第６，１０７，５３９号に説明されるものを有する。
【００３４】
先に述べたように、テープ型おむつ及びパンツ型おむつ１００Ｐ及び１００Ｔはまた、シャーシ１０２に接合される吸収性アセンブリ１４０を有してもよい。図１〜３に示されるように、吸収性アセンブリ１４０は、前側腰部区域１１６内に横方向に延在する前側縁部１４８を備え得、かつ長手方向に対向し、後側腰部区域１１８内に横方向に延在する後側縁部１５０を有し得る。吸収性アセンブリ１４０は、長手方向に延在する右側縁部１５２、及び横方向に対向し、長手方向に延在する左側縁部１５４を有し得る。吸収性アセンブリ側縁部１５２及び１５４の両方が、前側縁部１４８と後側縁部１５０との間で長手方向に延在し得る。吸収性アセンブリ１４０は、１又は複数の吸収性コア１４２又は吸収性コア層を更に有し得る。１又は複数の吸収性コア１４２のそれぞれ又は吸収性コア層は、トップシート１３８とバックシート１３６との間に少なくとも部分的に配置され得、また、おむつ１００Ｔ及び１００Ｐと適合性のある様々なサイズ及び形状で形成され得る。本開示の吸収性コアとして使用するための吸収性構造体の例は、米国特許第４，６１０，６７８号、同第４，６７３，４０２号、同第４，８８８，２３１号、及び同第４，８３４，７３５号に説明される。
【００３５】
いくつかの吸収性コア実施形態は、低減された量のセルロース系エアフェルト材料を含有する流体貯蔵コアを有してもよい。例えば、こうしたコアは、約４０％、３０％、２０％、１０％、５％、又は更には約１％未満のセルロースエアフェルト材料を有してもよい。こうした吸収性コアは主に、少なくとも約６０％、７０％、８０％、８５％、９０％、９５％、又は更には約１００％の吸収性ゲル化材料（ＡＧＭ）を有してもよく、その場合、吸収性コアの残部はマイクロファイバー接着剤を有する（適用可能な場合）。そのようなコア、マイクロファイバー接着剤、及び吸収性ゲル化材料は、米国特許第５，５９９，３３５号、同第５，５６２，６４６号、同第５，６６９，８９４号、同第６，７９０，７９８号、及び同７，５２１，５８７号、並びに米国特許公開第２００４／０１５８２１２号に説明されている。
【００３６】
前述したように、テープ型おむつ１００Ｔ及びパンツ型おむつ１００Ｐは、シャーシ１０２上に弾性脚部カフ１５６も更に有し得る。脚部カフ１５６は、脚部バンド、側部フラップ、バリアカフ、弾性カフ、又はガスケットカフとも称され得、また時にはそう称されるということを理解されたい。弾性脚部カフ１５６は、脚部区域における身体排出物の漏れを低減するのに役立つ種々の方法で構成されてもよい。脚部カフ１５６の例は、米国特許第３，８６０，００３号、同第４，９０９，８０３号、同第４，６９５，２７８号、同第４，７９５，４５４号、同第４，７０４，１１５号、同第４，９０９，８０３号、同第７，９３１，６３６号、及び米国特許公開第２００９／０３１２７３０Ａ１号に記載されるようなものを有し得る。
【００３７】
図１Ａに示すように、シャーシ１０２は、シャーシ１０２の内面すなわち着用者に面する表面１３２上に配置された、長手方向に延在し、かつ横方向に対向する側部フラップ１６０を有し得る。側部フラップ１６０のそれぞれは、近位縁部を有し得る。側部フラップ１６０はまた、吸収性アセンブリ１４０（すなわち、吸収性アセンブリ１５２及び１５４のそれぞれの側縁部の内側へ横方向に延在する近位縁部）と、重なり合ってもよい。いくつかの構成では、側部フラップ１６０は吸収性アセンブリ１４０と重なり合わなくてもよい。側部フラップ１６０は、例えば、シャーシ１０２の部分を横方向に内側へと（すなわち長手方向軸線１２４へ向かって）折り畳み、シャーシ１０２のそれぞれの側部フラップ１６０と側縁部１２８及び１３０との両方を形成することによってなどの様々な方法で形成され得るということを理解されたい。別の例では、側部フラップ１６０は、対応する側縁部及びシャーシ１０２のそれぞれにおいて、又はそれらに隣接して、追加の層（単数及び複数）をシャーシ１０２に取り付けることによって形成され得る。側部フラップ１６０のそれぞれは、前側腰部区域１１６内の側部フラップ取り着けゾーン内、及び後側腰部区域１１８内の側部フラップ取り着けゾーン内で、シャーシ１０２の着用者に面する表面１３２及び／又は吸収性アセンブリ１４０に接合されてもよい。側部フラップ１６０は、吸収性物品と同じ長手方向範囲まで延在してもよく、あるいは、側部フラップ１６０は吸収性物品よりも小さい長手方向範囲を有してもよい。
【００３８】
上述したように、パンツ型おむつ及びテープ型おむつ１００Ｔ及び１００Ｐは、はっきりと異なる特徴及び／又は構成要素を有し得る。以下で、テープ型おむつ及びパンツ型おむつの実施形態を示した添付の図を参照しながら、いくつかのこうした特徴及び構成要素についての一般的な考察を提供する。
【００３９】
テープ型おむつは、パッケージ化された状態のままで、着用者に適用される前は、前側腰部区域１１６及び後側腰部区域１１８が互いに締結、予備締結、接合、又は連結されていない構成で製造され、かつ消費者に提供され得る。図４に示されるように、例えば、テープ型おむつ１００Ｔは、腰部区域を一緒に締結又は接合することなく、第１腰部区域１１６の着用者に面する表面１３２が、第２腰部区域１１８の着用者に面する表面１３２と表面同士を接触させた状態で、横方向中心線の周辺で折り畳まれてもよい。ベルト部分１０３内に形成された後部耳部１０４及び１０６並びに／又は前部耳部１０８及び１１０もまた、存在するときは、第１及び第２腰部区域１１６及び１１８の内側すなわち着用者に面する表面１３２に向かって横方向内側に折り畳まれてもよい。
【００４０】
テープ型おむつ１００Ｔは、いったんテープ型おむつが着用者上に位置付けられると、前側腰部区域１１６と後側腰部区域１１８とを一緒に締結させて、閉じた腰部周囲部及び脚部開口部を形成することができる、締結要素の様々な構成を有し得る。例えば、図１Ａに示すように、テープ型おむつ１００Ｔは、ベルト部分１０３内に形成された第１及び第２後部耳部１０４及び１０６並びに第１及び第２前部耳部１０８及び１１０を有し得て、第１及び第２後部耳部１０４及び１０６は締結構成要素１６２及び１６４を有するように構成される。第１及び第２前部耳部１０８及び１１０はまた、いくつかの実施形態ではベルト部分内にも形成され得る。各締結構成要素１６２及び１６４は、後側腰部区域１１８のベルト部分１０３の基材１２９及び１３１のうちの１の一部分を形成し得るか、又はそれに対して、直接的若しくは間接的に、恒久的に結合、接着、若しくは他の方法で接合し得る。他の実施形態では、締結構成要素１６２及び１６４はそれぞれ、前部耳部１０８及び１１０に取り付け又は接合され得る。締結構成要素は、例えば、接着剤接合、音波接合、圧力接合、熱接合、又はそれらの組み合わせなどの種々の方法で、吸収性物品の側縁部１２８及び１３０において又はそれらに隣接して、恒久的に接合又は結合されてもよい。
【００４１】
第１締結構成要素１６２及び／又は第２締結構成要素１６４は、様々な種類の着脱自在に係合可能な締結具を有してもよく、また更に、様々な種類の再締結可能な締結構造を有してもよい。例えば、第１及び第２締結構成要素１６２及び１６４は、フック・ループ式締結具、フック・フック式締結具、マクロ締結具、ボタン、スナップ、タブ及びスロット締結具、テープ締結具、接着剤締結具、粘着式締結具、磁気式締結具、雌雄同体（hermaphrodidic）締結具などの形態の機械式締結具１６６を有し得る。締結システム及び／又は締結構成要素１６２、１６４のいくつかの例は、米国特許第３，８４８，５９４号、同第４，６６２，８７５号、同第４，８４６，８１５号、同第４，８９４，０６０号、同第４，９４６，５２７号、同第５，１５１，０９２号、同第５，２２１，２７４号、同第６，２５１，０９７号、同第６，６６９，６１８号、同第６，４３２，０９８号、及び同７，７９９，００６号、並びに米国特許公開第２００７／００７８４２７号で説明されている。
【００４２】
上述したように、締結構成要素１６２及び１６４は、おむつ１００Ｔの別の部分と、着脱自在に及び／又は再締結可能に係合又は連結するように構成され得る。例えば、図１に示されるように、おむつ１００Ｔは、第１腰部区域１１６内に、ランディングゾーンと称される事もある連結ゾーン１６８を有し得る。一実施形態では、連結ゾーン１６８は、前側腰部区域１１６内のベルト部分上に形成され得るか、又はベルト部分に取り付けられ得る。したがって、テープ型おむつ１００Ｔが着用者上に位置付けられるとき、締結構成要素１６２及び１６４は着用者の腰部の一部分の周りで引っ張られ、かつ第１腰部区域１１６内の連結ゾーン１６８と連結されて、閉じた腰部周囲部と、一対の横方向に対向する脚部開口部と、を形成する。連結ゾーン１６８は、テープ型おむつ１００Ｔのシャーシ１０２又はベルト部分と連結した別個の基材から構築されてもよいことを理解されたい。いくつかの実施形態では、連結ゾーン１６８は、例えば、米国特許第５，７３５，８４０号及び同第５，９２８，２１２号に開示されるような、おむつ１００Ｔのバックシート１３６若しくはベルト部分の部品として一体形成されてもよく、又は腰部区域のうちの一方若しくは両方内で第１及び第２耳部の部分として形成されてもよい。
【００４３】
テープ型おむつ１００Ｔは、締結構成要素１６２及び１６４と同じ面上及び同じ腰部区域内に配置される非係合ゾーンを有してもよい。非係合ゾーンは、吸収性物品を使用する前に、締結構成要素１６２及び１６４が吸収性物品の他の要素に係合されるのを防ぐ上で役立つように構成され得る。非係合ゾーンは、フィルム、コーティング、又は締結構成要素１６２及び１６４に取り付け若しくは係合しない他の材料を有し得る。特定の実施形態では、テープ型おむつ１００Ｔがパッケージに入っているときは、非係合ゾーンは、締結構成要素１６２及び１６４の締結面と表面同士を接触させ得る。
【００４４】
テープ型おむつと対照的に、パンツ型おむつは、着用者に適用される前のパッケージに入っているとき、前側腰部区域１１６及び後側腰部区域１１８が互いに締結、予備締結、接合、又は連結されている構成で製造され、また消費者に提供され得る。したがって、パンツ型おむつは、乳児、小児、及び／又は成人の着用者向けに設計された、連続的な外辺部の腰部開口部及び連続的な外周部の脚部開口部を有し得る。下記により詳細に述べられるように、おむつパンツは、再締結可能な及び／又は恒久的なクロージャ部材（例えば、シーム、熱接結合、圧力溶接、接着剤、粘着結合、機械式締結具など）を用いて、おむつの部分を一緒に接合することを含むがそれに限定されない様々な技術によって、予備成形することができる。加えて、パンツ型おむつは、腰部区域の周辺部に沿った任意の場所で予備成形されることができる（例えば、側部を締結又は連結され、前側腰部を締結又は連結され、後側腰部を締結又は連結され）。
【００４５】
いくつかの実施形態では、パンツ型おむつ１００Ｐは、腰部区域１１６及び１１８の一方若しくは両方のベルト部分又はシャーシ１０２に形成され得るか、又は腰部領域１１６及び１１８の一方若しくは両方のベルト部分又はシャーシ１０２に取り付けられ得る、ベルト耳部１１２及び１１４を有して構成され得る。例えば、図２及び５は、後側腰部区域１１８内に第１ベルト耳部１１２及び第２ベルト耳部１１４を含むパンツ型おむつ１００Ｐを示す。ベルト耳部１１２及び１１４は、ベルト部分１１１内に形成され得るか若しくはベルト部分１１１に接合され得るか、又はシャーシ１０２に接合され得る。ベルト耳部１１２及び１１４は実質的に矩形であってもよく、又はベルト耳部１１２及び１１４は、開放及び再締結することを容易にするために、一体化したタブを提供するような形状であってもよい。ベルト耳部１１２及び１１４はまた、横方向及び／又は長手方向に延伸性であるか、又は弾性的延伸性であってもよい。ベルト耳部１１２及び１１４は、１又は複数のフィルム、不織布、又はフィルムと不織布との組み合わせを有し得る。要素（単数又は複数）１０５は少なくとも横方向に弾性的延伸性であってもよい。
【００４６】
前述したように、図２及び５を参照すると、ベルト部分１１１上に形成された、若しくはベルト部分１１１に接合された、又はシャーシ１０２に接合された第１及び第２ベルト耳部１１２及び１１４は、シャーシ１０２の第１腰部区域１１６と第２腰部区域１１８とを連結させて、腰部開口部１７０及び２の脚部開口部１７２を形成し得る。例えば、パンツ型おむつ１００Ｐを形成するために、第１及び第２ベルト耳部１１２及び１１４の近位端部区域１７４はベルト部分１１１と合わせて形成され、また第１及び第２ベルト耳部１１２及び１１４の遠位端部区域１７６はシャーシ１０２の前側腰部区域１１６と連結される。
【００４７】
ベルト耳部１１２及び１１４のうちの一方又は両方の遠位端部区域１７６は、様々な方法でシャーシ１０２の前側腰部区域１１６と連結され得ることを理解されたい。例えば、いくつかの構成では、ベルト耳部１１２及び１１４は対向する腰部区域と恒久的に連結され得、いったん破壊されれば再締結され得ない。こうした恒久的なシームは予め閉じられて、肌着のような外見でかつ肌着のように適用可能な製品（すなわち脚部を通して着用され得るパンツ）を提供する。恒久的なシームを有する使い捨てパンツ型おむつは、吸収性物品の外側表面上に配置された廃棄テープなどの、廃棄のための別個の要素を必要とすることがある。他の使い捨てパンツ型おむつは、非恒久的シームを有し得、また再締結可能であり、それにより従来のテープ型おむつに似た適用を容易にするように、介護者が初期腰部開口部周辺部及び脚部開口部を開き、かつそれらを再び閉じることを可能にする。したがって、ベルト耳部１１２及び１１４の遠位端部区域１７６は、例えば、接着剤、粘着剤、熱結合、超音波結合、機械的結合、及び機械的締結（例えばフック・ループ式締結具）などで、シャーシ１０２の対向する腰部区域と恒久的に結合され、着脱自在に連結され、及び／又は再締結可能に連結され得る。例えば、１又は複数の締結具要素は、ベルト耳部の一部分上に設置されるか、又はベルト耳部の一部分を形成してもよく、また、第１又は第２腰部区域１１６及び１１８内に設置された１又は複数の対応する締結要素と再締結可能に連結するように適合されてもよく、あるいは、締結具要素は、ベルト耳部１１２及び１１４を含む吸収性物品の１又は複数の構成要素と再締結可能に連結するように適合されてもよい。ベルト耳部はまた、シャーシ１０２の第１及び第２腰部区域の連続的延伸部としても形成され得ることを理解すべきである。
【００４８】
初期に予備締結されたパンツ型おむつの再締結能力は、介護者に利便性を提供し得る。場合によって、家から離れているときや、又は、衣類及び／又は靴を除去することが不便であるときには、従来のテープ式おむつのような吸収性物品を適用することがより便利なこともある。いつ交換が必要となるか、したがっていつ特定の様式の適用が必要とされるかを予測することは困難であるため、従来のテープ式おむつとしてでも、又は使い捨てパンツ型おむつ、プルオンおむつとしてでも、いずれでも適用されるように適合可能である使い捨てパンツ型おむつを有することは有益である。加えて、従来のテープ式おむつ又は使い捨てパンツ型おむつのように適用され得る吸収性物品はまた、製品を引き下ろすことなく、製品の内側を点検することも可能である。これらの再締結可能な構造はまた、使用済み製品の包装及び廃棄を可能にする二重機能性を提供し得る。
【００４９】
前述したように、パンツ型おむつのベルト部分に形成されたベルト耳部は、異なる方法で構成されてもよい。ベルト耳部は、ベルト部分１１１ａ及び１１１ｂ内に形成された耳部パネルを一つに連結することにより形成されてもよいことを理解されたい。いくつかの実施形態では、パンツ型おむつは、腰部区域１１６及び１１８の両方においてベルト部分１１１ａ及び１１１ｂと合わせて形成されたベルト耳部と合わせて構成されてもよい。例えば、図３及び６には、パンツ型おむつ１００Ｐが示されており、ベルト部分１１１ａ内に形成された第１ベルト耳部１１２は、第２耳部パネル１１２ｂと連結された第１耳部パネル１１２ａを有し、ベルト部分１１１ａ内に形成された第２ベルト耳部１１４は、第２耳部パネル１１４ｂと連結された第１耳部パネル１１４ａを有する。第１耳部パネル１１２ａ、１１４ａのそれぞれは、ベルト部分１１１ａ内に形成される近位区域１７４ａを有し、近位区域１７４ａはシャーシ１０２に連結されるか、接合されるか、又はシャーシ１０２と合わせて形成される。第２耳部パネル１１２ｂ、１１４ｂのそれぞれは、ベルト部分１１１ｂ内に形成された近位区域１７４ｂを有し得て、近位区域１７４ｂはシャーシ１０２の第２腰部区域１１８に連結されるか、接合されるか、又は第２腰部区域１１８と合わせて形成される。第１耳部パネル１１２ａの遠位区域１７６ａ、及び第２耳部パネル１１２ｂの遠位区域１７６ｂは、第１側部シーム１７８に沿って互いに連結され、第１ベルト耳部１１２を形成し得る。同様に、第１耳部パネル１１４ａの遠位区域１７６ａ、及び第２耳部パネル１１４ｂの遠位区域１７６ｂは、第２側部シーム１８０に沿って互いに連結され、第２ベルト耳部１１４を形成し得る。
【００５０】
１の腰部区域内の耳部パネルは、シャーシ１０２の側縁部から耳部パネルの遠位縁部まで、反対側の腰部区域内の長手方向に対向する耳部パネルと同じ横方向範囲を有してもよく、あるいは、第１腰部区域内１１６に配置される耳部パネルは、シャーシ１０２の側縁部から耳部パネルの遠位縁部まで測定されるときに、第２腰部区域内１１８に配置される耳部パネルと異なる横方向範囲を有してもよいことも、理解すべきである。
【００５１】
したがって、側部シームを含むパンツ型おむつの場合、第１及び第２ベルト部分１１１ａ及び１１１ｂ上の側縁部１３５ａ及び１３５ｂに隣接するパンツ型おむつ１００Ｐの部分は、連結又は接合されて第１恒久的側縁部シーム１７８及び第２恒久的側縁部シーム１８０を形成する。側縁部シーム１７８及び１８０の連結により、初期腰部開口部１７０、及び一対の脚部開口部１７２が画定される。別の構成では、パンツ型おむつ１００Ｐは、締結面及び対向する取り付け面を有する第１嵌合締結構成要素を有することができ、取り付け面は、第１腰部区域１１６内のパンツ型おむつの内面又は外面に直接に接合される。パンツ型おむつは、締結面及び対向する取り付け面を有する第２嵌合締結構成要素を更に有することができ、取り付け面は、第１締結構成要素と同じパンツ型おむつの面又は第１締結構成要素と対向するパンツ型おむつの面に、直接接合され得る。第２嵌合締結構成要素は、第１嵌合締結構成要素の取り付け面が接合される表面の一部分と接合され得るか、若しくは表面の一部分を形成し得るか、又は第１嵌合締結構成要素の取り付け面が接合される表面と対向する表面の一部分に接合され得るか、若しくは対向する表面の一部分を形成し得る。
【００５２】
更に別の構成では、パンツ型おむつは、パンツ１００Ｐの初期腰部開口部周辺部１７０及び脚部開口部１７２を除去のために開く、又は従来のテープ式おむつとして適用されることを可能にする、側縁部シーム１７８及び１８０の内側へ横方向に配置され得る易壊性の分離ゾーンを有してもよい。上記で説明したように、パンツ型おむつは更に、前側又は後側腰部区域１１６及び１１８のうちの１に配置される、第１締結構成要素及び第２締結構成要素を有し得る。各締結構成要素は、パンツ型おむつ１００Ｐの同じ表面（例えば、外側すなわち衣類に面する表面１３４）上に、又は対向する表面上に配置され得る。締結構成要素は、従来のテープ式おむつの方式で締結されることが可能であってもよく、又は、初期腰部開口部周辺部及び脚部開口部が破断された後で、二次腰部開口部周辺部及び脚部開口部を再形成するように締結されることが可能であってもよい。加えて、締結構成要素は、汚れたパンツを廃棄し易くするように使用され得る。
【００５３】
前述したように、側縁部シーム１７８及び１８０の結合部は恒久的であってもよく、また用いられる特定の材料に対して適切な様々な方法で形成され得る。したがって、結合の種類の例は、音波封止結合、熱封止結合、高圧結合、高周波結合、接着剤又は粘着剤結合、縫い結合、自己結合、及びこれらの組み合わせなどの、個別の結合は有し得る。本開示の一態様に従って、恒久的側縁部シーム１７８及び１８０は、パンツ１００Ｐの適用及び着用中に側縁部シーム１７８及び１８０上にかかる力及び応力に耐える、熱／圧力又は超音波溶接の所定のパターンによって接合され得る。恒久的側縁部シーム１７８、１８０は、米国特許第５，７７９，８３１号、同第５，７７２，８２５号、同第５，６０７，５３７号、同第５，６２２，５８９号、同第５，６６２，６３８号、同第６，０４２，６７３号、及び同第６，７２６，７９２号に開示されるように形成され得る。
【００５４】
パンツ型おむつ１００Ｐは、恒久的側縁部シーム１７８及び１８０を有して構成され得るため、双方の恒久的側縁部シームとも予め閉じられてもよく、すなわち、側縁部シームは、おむつパンツ１００Ｐがそのパッケージから取り外される前に、したがって着用者の下部胴体に着用される前に、閉じている。予め閉じられた恒久的側縁部シーム１７８及び１８０は、初期腰部開口部周辺部及び脚部周辺部を形成してもよい。初期腰部開口部周辺部及び脚部周辺部は、所定の易壊性の分離領域で開かれてもよい。一実施形態では、恒久的側縁部シームは、二次腰部開口部周辺部及び脚部開口部を形成するように再び閉じることはできない。
【００５５】
更に、様々なおむつパンツ構成が、米国特許第５，２４６，４３３号、同第５，５６９，２３４号、同第６，１２０，４８７号、同第６，１２０，４８９号、同第４，９４０，４６４号、同第５，０９２，８６１号、同第５，８９７，５４５号、同第５，９５７，９０８号、同第７，１０１，３５９号、同第７，４０７，４６８号、同第７，８２０，８７５号、及び同第７，７９９，００６号、並びに米国特許公開第２００３／０２３３０８２号、同第２００３／００８８２２０号、同第２００３／０２３３０８２号、同第２００５／０２１５９７０号、同第２００７／００７８４２７号、同第２００７／００７４３８１号、同第２００７／００７８４２６号、及び同第２００８／０１０７８６１に開示されている。
【００５６】
一実施形態では、図７を参照すると、例えばパンツなどの簡略化された吸収性物品２００が図７に図示されている。図解の明瞭さのため、様々な構成要素が図から削除されている。吸収性物品２００は、前側すなわち第１ベルト部分２０２及び後側すなわち第２ベルト部分２０４を有し得る。第１ベルト部分２０２は第１腰部区域１１６内に位置付けられてもよく、一方で第２ベルト部分２０４は第２腰部区域１１８内に位置付けられてもよい。第１ベルト部分２０２及び第２ベルト部分２０４は、第１ベルト部分２０２の部分が第２ベルト部分２０４の部分に接合又は着脱自在に接合されるとき、一緒に着用者の腰部の少なくとも一部分を包囲することを意図されている。第１及び第２ベルト部分２０２及び２０４は、シャーシ２０６によって互いに連結され得る。シャーシ２０６は、吸収性物品２００内に股部区域１２０を形成し得る。シャーシ２０６はまた、第１及び第２腰部区域１１６及び１１８の部分を形成し得る。様々な実施形態では、第１及び第２ベルト部分２０２及び２０４は、シャーシ２０６の第１及び第２端部分と重なり合い得る。重なり合いは、シャーシ２０６の着用者に面する表面上か、又は衣類に面する表面上で起こり得る。図７の図では、シャーシ２０６の着用者に面する表面は、読者に向かって配向される。他の実施形態では、第１及び第２ベルト部分２０２及び２０４とシャーシ２０６との重なり合いが全くないか、又は非常に限られた重なり合いしかない場合がある。こうした実施形態では、第１及び第２ベルト部分２０２及び２０４は、端部分とベルト部分２０２及び２０４との間の交点で又は交点の近傍で、シャーシ２０６の第１及び第２端部分と接合され得る。図８ａ〜８ｇは、様々な実施形態において図７の線８−８について取られた構造断面のいくつかの例である。また、断面内の弾性要素の数は限定しておらず、多少の弾性要素を用いることができる。吸収性物品の様々な特徴を、図解の明瞭さのために図８ａ〜８ｇでは削除している。
【００５７】
一実施形態では、図８ａ及び８ｂを参照すると、吸収性物品２００は、着用者の腰部の少なくとも一部分を取り囲むことを意図した第１及び第２ベルト部分２０２及び２０４を有し得る。第１及び第２ベルト部分２０２及び２０４は、吸収性物品２００のシャーシ２０６によって互いに連結され得る。第１及び第２ベルト部分２０２及び２０４は、吸収性物品２００の外側の衣類に面する表面１３４の一部分を形成する第１基材２１０を有し得る。ベルト部分２０２及び２０４の第１基材２１０は、２の長手方向に離間配置された材料のウェブから形成され得る。第１及び第２ベルト部分２０２及び２０４はまた、吸収性物品２００の内側の着用者に面する表面１３２の一部分を形成する第２基材２１２を有し得る。ベルト部分２０２及び２０４の第２基材２１２はまた、２の長手方向に離間配置された材料のウェブからも形成され得る。第２基材２１２はまた、非連続的でありかつ横断方向に離間配置される場合もある。第１及び第２基材２１０及び２１２は、同じ若しくは実質的に同じ材料から形成されてもよく、又は異なる材料を有し得る。第１及び第２基材２１０及び２１２は、不織布、フィルム、フォーム、弾性材料、不織布、又はこれらの組み合わせから形成され得る。第１及び第２ベルト部分２０２及び２０４はまた、第１基材２１０と第２基材２１２との間に少なくとも部分的に配置された弾性要素２１４も有し得る。任意の適した数の弾性要素２１４を、各ベルト部分に提供することができる。弾性要素２１４は、１又は複数の弾性ストランド、エラストマーフィルム、エラストマーリボン、エラストマー不織布、エラストマーフィラメント、エラストマー接着剤、エラストマーフォーム、スクリム、又はこれらの組み合わせを有し得る。弾性要素２１４の一部分が、外側の衣類に面する表面すなわち層１３４と直接組み合わせられ得る。シャーシ２０６は、外側の衣類に面する表面１３４の少なくとも一部分、バックシート１３６、内側の着用者に面する表面１３２の少なくとも一部分、トップシート１３８、及びトップシート１３８とバックシート１３６との間に配置された吸収性コア１４２を有し得る。バックシート１３６は、不織布材料、織布材料、及び／又はこれらの材料の１又は複数の組み合わせを有するフィルム又は積層体から形成されてもよい。一実施形態では、バックシート１３６はフィルム及び不織布の積層体であり得、積層体の不織布は吸収性物品２００の外側カバー基材２４２であり得る。加えて、シャーシ２０６は、シャーシ２０６の側縁部１５２及び１５４（図３を参照）に、又は隣接して配置された伸縮性バリア脚部カフ１５６（図３を参照）を有し得る。第１及び第２基材２１０及び２１２は、シャーシ２０６の少なくとも一部分で重なり合う場合があり、またベルト部分２０２及び２０４の一方又は両方が、シャーシ２０６の外側の衣類に面する表面１３４上又は内側の着用者に面する表面１３２上に配置され得る。第１又は第２基材２１０及び２１２の一部分が、外側カバー基材２４２に直接取り付けられ得る。あるいは、第１及び第２基材２１０及び２１２は、ベルト部分２０２及び２０４の１又は複数の第１表面を形成する、長手方向に離間配置された材料のウェブを有し得、ウェブがベルト部分２０２及び２０４の１又は複数の腰部開口部縁部１２１若しくは１２２、又は脚部開口部縁部１２７に沿って折り畳まれて弾性要素２１４を包んで、ベルト部分２０２及び２０４の１又は複数の第２表面の少なくとも一部分を形成する。換言すれば、ベルト部分２０２及び２０４のそれぞれの、内側の着用者に面する表面１３２の少なくとも一部分、及び外側の衣類に面する表面１３４の少なくとも一部分は、材料の単一のウェブから形成され得る。
【００５８】
一実施形態では、図８ｃ及び８ｄを参照すると、第１及び第２ベルト部分２０２及び２０４は、第１腰部区域１１６の第１腰部開口部縁部１２１から、シャーシ２０６を通り、長手方向に対向する第２腰部区域１１８の第２腰部開口部縁部１２２まで延在し、かつ吸収性物品２００の外側の衣類に面する表面１３４の一部分を形成する第１基材２１０を有し得る。第１及び第２ベルト部分２０２及び２０４は、吸収性物品２００の内側の着用者に面する表面１３２の一部分を形成する第２基材２１２を有し得る。第２基材２１２は、第１腰部開口部縁部１２１から第２腰部開口部縁部１２２まで延在し得る。他の実施形態では、第２基材２１２は２の長手方向に離間配置された材料のウェブから形成され得る。第１及び第２ベルト部分２０２及び２０４はまた、第１基材２１０と第２基材２１２との間に少なくとも部分的に配置された複数の弾性要素２１４も有し得る。弾性要素２１４は、上述したものと同じであり得る。シャーシ２０６は、外側の衣類に面する表面１３４の少なくとも一部分、バックシート１３６、内側の着用者に面する表面１３２の少なくとも一部分、トップシート１３８、及びトップシート１３８とバックシート１３６との間に配置された吸収性コア１４２を有し得る。第１基材２１０又は第２基材２１２は、外側の衣類に面する表面１３４の一部分を形成し得る。加えて、シャーシ２０６は、シャーシ２０６の側縁部１５２及び１５４に配置された又は隣接して配置された、伸縮性バリア脚部カフ１５６を有し得る。第２基材２１２はシャーシ２０６の少なくとも一部分と重なり合い、また第２基材のウェブの一方又は両方は第１基材２１０の外側表面又は第１基材２１０の内側表面を形成し得る。あるいは、第１基材２１０の前側部分及び／又は後側部分は、腰部区域１１６又は１１８のうちの１の腰部開口部縁部１２１又は１２２のうちの１に沿って折り畳まれて弾性要素２１４を包んで、第１及び第２ベルト部分２０２及び２０４の一方又は両方の第２基材２１２の一部分を形成し得る。換言すれば、第１及び第２ベルト部分２０２及び２０４のそれぞれの内側表面及び外側表面は、材料の単一のウェブから形成され得る。
【００５９】
一実施形態では、図８ｅ〜８ｆを参照すると、吸収性物品２００は、第１腰部区域１１６の第１腰部開口部縁部１２１から、シャーシ２０６を通り、長手方向に対向する第２腰部区域１１８の第２腰部開口部縁部１２２まで延在する全体外側カバー基材２４２を有し得る。吸収性物品２００はまた、着用者の腰部を包囲することを意図された、第１及び第２ベルト部分２０２及び２０４も有し得る。第１及び第２ベルト部分２０２及び２０４は、吸収性物品２００の外側カバー基材２４２及び／又はシャーシ２０６に連結され得る。第１及び第２ベルト部分２０２及び２０４は、ベルト２０２又は２０４の、外側の衣類に面する表面１３４の一部分を形成する第１基材２１０を有し得る。第１基材２１０は、２の長手方向に離間配置された材料のウェブから形成され得る。第１及び第２ベルト部分２０２及び２０４は、吸収性物品２００の内側の着用者に面する表面１３２の一部分を形成する第２基材２１２を有し得る。第２基材２１２はまた、２の長手方向に離間配置された材料のウェブからも形成され得る。第１及び第２基材２１０及び２１２は、実質的に同じ材料から形成されてもよく、又は異なる材料を有し得る。第１及び第２基材２１０及び２１２は、不織布、フィルム、フォーム、又はこれらの組み合わせから形成され得る。第１及び第２ベルト部分２０２及び２０４はまた、第１基材２０２と第２基材２０４との間に配置された弾性要素２１４も有し得る。弾性要素２１４は、上述したものと同じ又は類似であり得る。第１及び第２ベルト部分２０２及び２０４は、外側カバー基材２４２の内面上に配置され得る。あるいは、第１及び第２ベルト部分２０２及び２０４は、外側カバー基材２４２の外側表面すなわち衣類に面する表面１３４上に配置され得る。こうした実施形態では、外側カバー基材２４２は腰部区域１１６及び１１８内の吸収性物品２００の内側の衣類に面する表面１３２の一部分を形成し得、また第１基材２１０は、吸収性物品２００の外側の衣類に面する表面１３４の一部分を形成し得る。第２基材２１２は、存在するとき、第１基材２１０と外側カバー基材２４２との間に配置され得る。吸収性物品２００のシャーシ２０６は、外側の衣類に面する表面１３４の少なくとも一部分、バックシート１３６、内側の着用者に面する表面１３２の少なくとも一部分、トップシート１３８、及びトップシート１３８とバックシート１３６との間に配置された吸収性コア１４２を有し得る。加えて、シャーシ２０６は、シャーシ２０６の側縁部１５２及び１５４（例えば図３を参照）に、又はこれに隣接して、配置された伸縮性バリア脚部カフ１５６（例えば図３を参照）を有し得る。第１及び第２ベルト部分２０２及び２０４の一方又は両方は、シャーシ２０６の少なくとも一部分と重なり合ってもよく、またベルト部分２０２及び／又は２０４の一方又は両方は、シャーシ２０６の外側の衣類に面する表面１３４上か、又はシャーシ２０６の内側の着用者に面する表面１３２上に配置されてもよい。第１及び第２ベルト部分２０２及び／又は２０４の一方又は両方は、外側カバー基材２４２の内面上に配置されてもよく、又はベルト部分２０２及び／又は２０４の一方又は両方は、外側カバー基材２４２の外面上に配置されてもよい。第１及び第２ベルト部分２０２及び／又は２０４の一方又は両方は、ベルト部分２０２又は２０４の第１表面を形成する、長手方向に離間配置された材料のウェブを有し得、ウェブはベルト部分２０２又は２０４の腰部開口部縁部１２１又は１２２に沿って折り畳まれて弾性要素２１４を包んで、ベルト部分２０２又は２０４の第２表面の少なくとも一部分を形成し得る。換言すれば、ベルト部分２０２又は２０４の一方又は両方の内側表面及び外側表面の一部分又は全部は、材料の単一ウェブから形成され得る。前側及び後側ベルト部分２０２及び２０４の一方又は両方のしわ、ひだ、折り目、プリーツ、又はテクスチャは、外側カバー基材２４２及び／又はバックシート１３６のものとは異なる構成、サイズ、配向、形状などを有し得る。
【００６０】
一実施形態では、図８ｇを参照すると、第１及び第２ベルト部分２０２及び２０４は、吸収性物品２００の外側の衣類に面する表面１３４の一部分を形成する第１基材２１０、及び吸収性物品２００の内側の着用者に面する表面１３２の一部分を形成する第２基材２１２を有し得る。第２基材２１２は、横方向に非連続的でかつ横断方向に離間配置される場合がある。第１及び第２基材２１０及び２１２は、同じ若しくは実質的に同じ材料から形成されてもよく、又は異なる材料を有し得る。第１及び第２基材２１０及び２１２は、不織布、フィルム、フォーム、又はこれらの組み合わせから形成され得る。第１及び第２ベルト部分２０２及び２０４はまた、第１及び第２基材２１０及び２１２の間に配置された弾性要素２１４も有し得る。弾性要素２１４は、上述したものと同じ又は類似であり得る。弾性要素２１４の一部分が、外側カバー基材２４２と直接組み合わせられ得る。シャーシ２０６は、外側の衣類に面する表面１３４の少なくとも一部分、バックシート１３６、内側の着用者に面する表面１３２の少なくとも一部分、トップシート１３８、及びトップシート１３８とバックシート１３６との間に配置された吸収性コア１４２を有し得る。一実施形態では、バックシート１３６は不織布及びフィルムの積層体であり得、不織布は外側カバー基材２４２によって形成され得る。加えて、シャーシ２０６は、シャーシ２０６の側縁部１５２及び１５４（例えば図３を参照）に、又はこれに隣接して、配置された伸縮性バリア脚部カフ１５６（例えば図３を参照）を有し得る。第１及び第２ベルト部分２０２及び２０４は、シャーシ２０６の少なくとも一部分と重なり合ってもよく、またベルト部分２０２及び／又は２０４の一方又は両方は、シャーシ２０６の外側の衣類に面する表面１３４上か、又はシャーシ２０６の内側の着用者に面する表面１３２上に配置されてもよい。第１及び／又は第２基材２１０及び／又は２１２の一部分が、外側カバー基材２４２に直接取り付けられ得る。第１及び第２ベルト部分２０２及び２０４は、第１腰部区域１１６の第１腰部開口部縁部１２１から股部区域１２０を通って第２腰部区域１１８の第２腰部開口部縁部１２２まで延在し、かつ吸収性物品２００の外側の衣類に面する表面１３４の一部分を形成する、第１ベルト基材から形成され得る。第１及び第２ベルト部分２０２及び２０４は、第１腰部区域１１６の第１腰部開口部縁部１２１から股部区域１２０を通って第２腰部区域１１８の第２腰部開口部縁部１２２まで延在し、かつ吸収性物品２００の内側の着用者に面する表面１３２の一部分を形成する、第２基材２１２を有し得る。第１及び第２基材２１０及び２１２は、同じ若しくは実質的に同じ材料から形成されてもよく、又は異なる材料を有し得る。第１及び第２基材２１０及び２１２は、不織布、フィルム、フォーム、織布材料、又はこれらの組み合わせから形成され得る。第１及び第２ベルト部分２０２及び２０４はまた、第１及び第２腰部区域１１６及び１１８の一方又は両方の第１及び第２基材２１０及び２１２の間に配置される弾性要素２１４も有し得る。弾性要素２１４は、上述したものと同じ又は類似であり得る。シャーシ２０６は、外側の衣類に面する表面１３４の少なくとも一部分、バックシート１３６、内側の着用者に面する表面１３２の少なくとも一部分、トップシート１３８、及びトップシート１３８とバックシート１３６との間に配置された吸収性コア１４２を有し得る。第１及び第２基材２１０及び２１２の一方又は両方は、外側の衣類に面する表面１３４の一部分を形成し得る。加えて、シャーシ２０６は、シャーシ２０６の側縁部１５２及び１５４（例えば図３を参照）に、又はこれに隣接して、配置された伸縮性バリア脚部カフ１５６（例えば図３を参照）を有し得る。第１及び第２ベルト部分２０２及び２０４の一方又は両方の一部分は、シャーシ２０６の少なくとも一部分と重なり合ってもよい。あるいは、第１及び第２ベルト部分２０２及び２０４は、ベルト部分２０２又は２０４の第１表面を形成する基材を有し得、基材はベルト部分２０２又は２０４の腰部開口部縁部１２１又は１２２に沿って折り畳まれて弾性要素２１４を包み、かつ対向する基材２１０又は２１２の一部分と重なり合ってもよい。換言すれば、ベルト部分２０２及び２０４のそれぞれの内側表面の一部分及び外側表面の一部分は、材料の単一ウェブから形成され得る。
【００６１】
一実施形態では、様々な吸収性物品２００のシャーシ２０６の一部分又は全体を、シャーシ２０６が作製される材料（単数又は複数）（例えばトップシート１３８、バックシート１３６）の本来の延伸性を超える程度まで延伸可能にすることができる。シャーシ２０６を着用者が動作する間の着用者の身体に適合させ、かつ伸長前の特定のサイズを有するシャーシ２０６を含む吸収性物品２００の着用者に、シャーシ２０６の第１腰部区域１１６、第２腰部区域１１８、又は腰部区域１１６及び１１８の両方を延伸させて、異なるサイズの着用者向けの追加の身体適用範囲を提供する（すなわち、吸収性物品２００を調整して個々の着用者に合わせる）ために、更なる延伸性が望ましい場合がある。腰部区域（単数又は複数）１１６又は１０８のこのような延伸は、股部区域１２０が腰部区域（単数又は複数）１１６及び１１８よりも比較的小さい程度で延ばされる限り、シャーシ２０６に一般に砂時計形状を付与することができ、また吸収性物品２００を着用した時にぴったり合った外観を吸収性物品２００に付与することができる。加えて、追加の延伸性は、吸収性物品２００のコストを最小にするために望ましい場合がある。例えば、この延伸性のない比較的小さな吸収性物品を作製するためにしか十分ではない材料の量が、延伸されていないより小さな吸収性物品がフィットする場合よりも大きな着用者の下部胴体を適切に覆うように延伸され得る吸収性物品を作製するために、使用され得る。
【００６２】
様々な実施形態では、シャーシ２０６のそれぞれの部分の最大延伸性までの横方向の延伸によってシャーシ２０６に砂時計形状が付与されるように、シャーシ２０６の一部分、例えば腰部区域１１６及び／又は１１８の一方又は両方のシャーシ２０６の一部分が、シャーシ２０６の股部区域１２０の最大延伸性を超える最大延伸性まで、横方向に延伸可能にされてもよい。一実施形態では、第１及び／又は第２ベルト部分２０２及び／又は２０４の下及び／又はすぐ隣にあるシャーシ２０６の一部分を、例えば股部区域２３０などのシャーシ２０６の別の部分の最大延伸性を超える最大延伸性まで、横方向に延伸可能にすることができ、結果として、最大延伸性までのそれぞれの部分の横方向の延伸は、腰部区域１１６及び１１８を延伸可能にして着用者の臀部を覆ってフィットさせることにより、また加えて、脚部開口部１７２を開口及び配向して、着用者がより効果的に脚部を開口部１７２に通すことができるようにすることにより、着用者の身体への吸収性物品２００の適用を容易にする。
【００６３】
シャーシ２０６の追加の横方向の延伸性は、多様な方法で提供されてもよい。例えば、シャーシ２０６が作製される材料（単数又は複数）に、複数の方法のうちの任意のものによりプリーツを付けてもよい。あるいは、シャーシ２０６の全部又は一部分は、米国特許第５，５１８，８０１号（１９９６年５月２１日発行、Ｃｈａｐｐｅｌｌら）に説明されたものと類似又は同一の、成形ウェブ材料又はウェブ材料の成形積層体で製造されてもよい。この成形ウェブ材料は、横方向に延在する別個の区域を有し得、ここで原材料は、エンボス加工又は別の変形方法によって変質され、ほぼ長手方向に配向した隆起部及び谷部が交互するパターンを生み出す。成形ウェブ材料はまた、横方向に延在する変質区域の間に、横方向に延在する非変質区域も有し得る。成形ウェブ材料は、隆起部及び谷部が平坦、又は実質的に平坦になる点を越えて延伸するのに必要とされるよりも実質的に少ない力で、隆起部に垂直な方向をこの点まで延伸され得る。横方向の延伸性に加えて、上記のような成形積層ウェブの製作により、改善されたテクスチャ並びに布地に近い外観及び感触を備えたバックシートが提供され得る。変形によって、フィルム内に布様のパターンを作り出すことができ、かつ、多層フィルム内の不織布及び不織布積層体バックシートの嵩高性を向上することができる。
【００６４】
あるいは、Ｃｕｒｒｏらに対する１９９４年１１月２２日発行の米国特許番号第５，３６６，７８２号に説明されるように、吸収性物品２００の一部分をリングロールすることで高度に延伸可能にすることができる。具体的には、リングロール装置は、漸増的に伸張して吸収性物品２００（又はその一部分）を形成する材料を可塑的に変形させる噛合歯を有し、それによってリングロール加工された区域の吸収性物品２００に伸張性をもたせる、対向するロールを有し得る。一実施形態では、吸収性物品は、第１若しくは第２腰部区域１１６若しくは１１８のうちの少なくとも１の一部分、又は第１並びに第２ベルト部分２０２並びに２０４の一方若しくは両方の下及び／若しくはすぐ隣に位置するシャーシ２０６の一部分をリングロールされてもよく、一方で他の区域又は部分は、構造化された弾性様の成形ウェブ材料を有し得る。吸収性物品２００は、腰部区域１１６及び／若しくは１１８の一方若しくは両方の全体の幅にわたってリングロールされてもよく、又はシャーシ幅の一部分のみにわたってリングロールされてもよい。
【００６５】
シャーシ２０６の前側横方向中央部分及び後側横方向中央部分は、シャーシ２０６の他の部分とは異なる延伸性範囲を有し得る。加えて又は別の方法では、横方向中央部分は、所与のレベルの対向する引張り力を受けるとき、取付けゾーンにおけるシャーシの一部分より大きいか又はより小さい程度まで延伸可能であってもよい（すなわち、シャーシ２０６の他の部分より延伸が容易である場合も、又は延伸が困難である場合もある）。
【００６６】
一実施形態では、図９及び１１を参照すると、ベルト部分３００は、吸収性物品３１２のシャーシ３１０の第１端部分及び／若しくは第２端部分と共に形成されてもよく、吸収性物品３１２のシャーシ３１０の第１端部分及び／若しくは第２端部分に取り付けられてもよく、吸収性物品３１２のシャーシ３１０の第１端部分及び／若しくは第２端部分に接合されてもよく、吸収性物品３１２のシャーシ３１０の第１端部分及び／若しくは第２端部分と重なり合ってもよく、並びに／又は吸収性物品３１２のシャーシ３１０の第１端部分及び／若しくは第２端部分から延在してもよい。ベルト部分３００は、シャーシ３１０の着用者に面する表面上にでも、若しくは衣類に面する表面上にでも、又は衣類に面する表面と着用者に面する表面との間にでも配置されてもよい。衣類に面する表面は、図９及び１１では読者に面している。様々な実施形態では、ベルト部分３００は、２の基材３０２と３０４との間に少なくとも部分的に配置された第１基材３０２、第２基材３０４、１又は複数の弾性要素、ストランド、又はストリップ３０６を有し得る。ベルト部分３００は、１又は複数のテクスチャゾーン、又は単一の均一若しくは不均一なテクスチャゾーンを有し得る。弾性要素３０６は細長くてもよく、また、第１基材３０２の一部分、及び／又は第２基材３０４の一部分に接着接合若しくはその他の方法で接合されてもよい。下記でより詳細に説明するように、接着剤は、１又は複数のテクスチャゾーンにおけるしわ頻度を定めるパターンの第１基材３０２の一部分及び／又は第２基材３０４の一部分に塗布されてもよい。弾性要素３０６は、第１基材３０２の部分及び／又は第２基材３０４の一部分に断続的に若しくは連続的に接着接合若しくはその他の方法で接合されてもよい。図９及び１１では、第１基材３０２は読者に面している。第１及び第２基材３０２及び３０４は、本明細書に説明される不織布材料又はその他の好適な材料を有し得る。長手方向軸線３０１及び横方向軸線３０３は、シャーシ３１０を介して画定され得る。
【００６７】
一実施形態では、図９を参照すると、第１及び第２基材３０２及び３０４の一方若しくは両方、又はそれらの部分は提供されない場合がある。一実施例では、弾性要素３０６の部分のみが、第１及び第２基材３０２の間に配置され得る。基材３０２及び／又は３０４の一方若しくは両方は、ベルト部分３００の全体にわたり延在しないように、非連続的であっても、又は切り取り部を有してもよい。一実施形態では、基材３０２又は３０４のうちの一部分が、いくつかの着用に面する表面（wearing-facing surface）の着用者に接触しない領域又はその他の領域において提供されない場合があり、また、弾性要素３０６が、少なくともこれらの部分で残りの基材３０２又は３０４に取り付けられる場合がある。このような実施形態では、残りの完全な基材３０２又は３０４が、吸収性物品３１２の衣類に面する表面の一部分上に配置され得るか、又はその一部分を形成し得る。
【００６８】
図１０Ａ〜１０Ｆを参照すると、弾性要素３０６は上記の任意の好適な材料から形成されてもよく、また、例えば円形、三角形、概して平面、矩形若しくは正方形、半月形、又は卵形などの任意の好適な断面形状を有してもよい。当業者は、弾性要素３０６のその他の好適な断面形状もまた本開示の範囲内であるということを認めるであろう。様々な実施形態では、弾性要素３０６は、その長さに関する幅及び／又は厚さが変化し得る。一実施形態では、一弾性要素３０６の寸法（例えば厚さ、長さ、断面プロファイル、幅）は、同じベルト部分内の別の弾性要素３０６の寸法と異なるか又は同じであり得る。一実施形態では、弾性要素３０６は、例えば弾性フィルム材料のストリップを有し得る。いくつかの実施形態では、基材に取り付けられるときに弾性要素は様々な事前歪みレベルを有し得る。
【００６９】
図９を再度参照すると、一般に、弾性要素３０６は直線状であって互いに平行に延在し、又は実質的に直線状であって実質的に互いに平行に延在し得、かつその間に均等若しくは均一、又は実質的に均等若しくは均一な離間間隔を有し得る。例えば、距離Ｄ１、Ｄ２、Ｄ３、及びＤ４は、互いに均等又は実質的に均等であり得る（例えば０．５〜３．０ｍｍ又は１．０〜２．０ｍｍの範囲で）。背景パターンを形成するか又はマクロパターンを形成するかに関わらず、異なるテクスチャを有する異なるテクスチャゾーンを、弾性要素３０６間に均等な又は実質的に均等な間隔又は距離を有して作ることさえも可能である。その他の実施形態では、少なくとも１のテクスチャゾーン内において、距離Ｄ１、Ｄ２、Ｄ３、及びＤ４のうち少なくともいくつかは互いに異なる（すなわち不均一である）場合があり、一方でその他の距離は互いに同じ又は実質的に同じである（すなわち均一又は実質的に均一である）場合がある。弾性要素３０６の間隔は、本明細書で説明するテクスチャゾーンと、すべてのテクスチャゾーンの全体を通して同じ、実質的に同じ、又は異なる場合がある。一実施形態では、いくつかの弾性要素３０６は、弾性要素３０６のうちの少なくともいくつかが互いに同軸であり、かつそれらの間に同じ又は実質的に同じ間隔を有し得るように、湾曲していてもよい。あるいは、弾性要素は、湾曲状か又は直線状かに関わらず、互いに平行でなくてもよく、かつそれらの間の間隔は均一でなくてもよい。更に他の実施形態では、少なくとも２の弾性要素が交差又は重なり合ってもよい。
【００７０】
従来技術のベルト部分では、弾性要素間の距離が減少するにつれてしわ頻度は増加し、弾性要素間の距離が増加するにつれてしわ頻度は減少する。しかしながら、本開示では、必ずしもこれは当てはまらない。実際は、しわ頻度は、弾性要素間で距離が同じであっても又は距離が増加しても増加する場合があり、あるいは弾性要素間の距離が減少するとしわ頻度が減少する場合がある。いかなる特定の理論にも束縛されるものではないが、これは、しわ内に形成されるよじれ又はプリーツが、弾性部材間の基材（単数又は複数）の量及び剛性によって少なくとも部分的に制御されるために発生するものと考えられている。本開示は、基材又は基材の積層体の局所剛性（例えば高密度区域）の変化をもたらし、弾性部材間の間質領域におけるよじれ又はプリーツポイントをより良好に画定し、それによって得られるテクスチャを制御する。
【００７１】
ベルト部分３００に加えて、図１１を再度参照すると、第２ベルト部分３０８は、吸収性物品３１２のシャーシ３１０の第２端部分に取り付けられても、吸収性物品３１２のシャーシ３１０の第２端部分に接合されても、吸収性物品３１２のシャーシ３１０の第２端部分と重なり合っても、及び／又は吸収性物品３１２のシャーシ３１０の第２端部分から延在してもよい。第２ベルト部分３０８は、横方向軸線３０３を挟んで第１ベルト部分３００及び長手方向に対向する第１ベルト部分３００の反対側に位置付けられる。第１ベルト部分３００は、第１腰部区域の一部分を形成し得、一方で第２ベルト部分３０８は、第２腰部区域の一部分を形成し得る。第２ベルト部分３０８は、第１ベルト部分３００と類似していても、又は第１ベルト部分３００と同じ特徴を少なくとも有してもよい。他の実施形態では、第２ベルト部分３０８は第１ベルト部分３００と異なっていてもよい（例えば、異なるサイズ又はテクスチャゾーンの位置）。ベルト部分３００又は３０８のそれぞれは、第１側縁部３１４及び横方向に対向される第２側縁部３１６を有し得る。第１側縁部３１４は、第２側縁部３１６及び横方向に対向する第２側縁部３１６から長手方向軸線３０１を挟んだ反対側に位置付けられる。ベルト部分３００すなわち第１ベルト部分３００の第１側縁部３１４の少なくとも一部分又は全部は、第２ベルト部分３０８の第１側縁部３１４の少なくとも一部分又は全部に接合され得る。第１ベルト部分３００の第２側縁部３１６の少なくとも一部分又は全部は、第２ベルト部分３０８の第２側縁部３１６の少なくとも一部分又は全部に接合されて、吸収性物品３１２内に腰部開口部及び２の脚部開口部を形成し得る。互いに接合される様々な側縁部の代わりに、又はそれらに加えて、様々な側縁部に近接するベルト部分３００及び３０８の側縁部区域は、互いに接合されて吸収性物品３１２内に腰部開口部及び２の脚部開口部を形成し得る。腰部開口部及び２の脚部開口部を有する吸収性物品の例が図６に示される。一実施形態では、この接合は、パンツ又は解放可能若しくは切り離し可能なテープ型おむつを形成するために恒久的であってもよい。一実施形態では、ベルト部分３００は第１腰部開口部縁部３１８を有し得て、第２ベルト部分３０８は長手方向に対向される第２腰部開口部縁部３２０を有し得る。第１腰部開口部縁部３１８は、第２腰部開口部縁部３２０から横方向軸線３０３を挟んだ反対側に位置付けられる。ベルト部分３００及び３０８のそれぞれは、第１脚部開口部縁部３２２及び横方向に対向される第２脚部開口部縁部３２４を有し得る。第１脚部開口部縁部３２２は、第２脚部開口部縁部３２４から長手方向軸線３０１を挟んだ反対側に位置付けられる。
【００７２】
一実施形態では、本明細書に開示される吸収性物品のベルト部分３００及び３０８並びに／又はその他の伸縮性部分は、背景パターン及びマクロパターン、単一の均一若しくは不均一なテクスチャ、又はその他のパターンをその内部に形成するテクスチャゾーンを有し得る。背景パターン及びマクロパターン、単一の均一若しくは不均一なテクスチャ、又はその他のパターンを形成するテクスチャゾーンは、第１基材３０２、第２基材３０４、及び弾性要素３０６によって形成され得る。一実施形態では、テクスチャゾーンは、基材３０２又は３０４及び弾性要素３０６のうちの１又は複数によって形成され得る。上述したように、ベルト部分３００及び３０８の第１基材３０２及び／又は第２基材３０４は、シャーシ３１０の中央部分も被覆する不織布材料などの連続的材料の部分であってもよく、あるいはベルト部分３００及び３０８の衣類に面する表面及び／又は着用が面する表面を被覆する材料の個別の層であってもよい。他の実施形態では、第１基材３０２及び第２基材３０４は、例えば吸収性物品３１２のバックシート及びトップシートであり得る。様々な実施形態では、各吸収性物品３１２及び／又は各ベルト部分３００若しくは３０８は、１又は複数のテクスチャゾーンを有し得、第１テクスチャゾーンは背景パターン３３４を形成し、また、第２テクスチャゾーンはマクロパターン３３６を形成する。他の実施形態では、ベルト部分は単一の均一若しくは不均一なテクスチャのみを有し得る。複数の第２テクスチャゾーンが、複数のマクロパターンを形成するために、又は１のマクロパターン内に複数のマクロパターン要素を作り出すために提供されてもよい。２より大きいテクスチャゾーンが提供される場合は、追加のテクスチャゾーンが、吸収性物品内及び／又はベルト部分の一方又は両方の内にその他のパターンを形成してもよい。一実施形態では、その他のパターンは、マクロパターン３３６の内部若しくは表面に、又は背景パターン３３４の内部に形成されてもよい。吸収性物品は、テクスチャゾーンに加えて、１又は複数の非テクスチャゾーン「ＮＴ」（例えば図１１及び１２を参照）を更に有し得る。一実施形態では、１又は複数のマクロパターン３３６又は背景パターン３３４は、着用者に対して、着用者の下部胴体付近での吸収性物品の適切な配向を少なくとも部分的に示し得る（例えば図１３を参照）。
【００７３】
一実施形態では、背景パターンを形成する第１テクスチャゾーンは、第１及び／又は第２基材３０２及び３０４並びに弾性要素３０６の第１部分すなわち領域を有し得る。マクロパターンを形成する第２テクスチャゾーンは、第１及び／又は第２基材３０２及び３０４並びに弾性要素３０６の第２部分すなわち領域を有し得る。更に、ベルト部分内に任意の好適なパターンを形成する３以上のその他のテクスチャゾーンは、第１及び／又は第２基材３０２及び３０４並びに弾性要素３０６の第３部分すなわち領域又はその他の部分すなわち領域を有し得る。換言すれば、吸収性物品３１２内に形成される各テクスチャゾーンは、基材のうちの少なくとも１の一部分すなわち領域、及び弾性要素３０６の一部分を有し得る。様々なテクスチャゾーンが、例えばベルト部分上又はその他の伸縮性部分上などの吸収性物品上の任意の好適な位置に設置され得る。背景パターン及びマクロパターンを形成するテクスチャゾーンの、いくつかの特定の実施形態の例を、様々な非限定的な実施形態における説明のために以下に示す。
【００７４】
様々な実施形態では、図１１〜１５は、ベルト部分３００及び３０８内に背景パターン及びマクロパターンを形成するテクスチャゾーン又は伸縮性テクスチャゾーン（以後「テクスチャゾーン」という）を有する吸収性物品３１２の例を示している。衣類に面する表面は、図１１〜１５において、読者に面しているが、しかし着用者に面する表面及び衣類に面する表面の一方又は両方で背景パターン及びマクロパターンを形成するテクスチャゾーンを見ることができる、また、着用者に面する表面が読者に面していた場合は、テクスチャゾーンは同じ領域内にも又は異なる領域にも位置付けされ得ることを理解されたい。吸収性物品３１２はパンツ型おむつとして示されているが、吸収性物品３１２はテープ型おむつであり得、かつ少なくとも１のベルト部分上に締結構成要素３２６を有し得る（例えば図１５を参照）ことは理解されよう、様々なマクロパターン及び背景パターンは、締結構成要素を受容するのに、又は締結構成要素に取り付けられるのに好適であり得る。図１１〜１５のテクスチャゾーンによって形成された様々な背景パターン及びマクロパターンを網掛けによって示す。白色部分（図１１〜１５のシャーシ３１０）は、本開示の目的では非テクスチャゾーンであってもよい。非テクスチャゾーンは、テクスチャゾーンでなく、かつ本開示で説明される弾性的延伸性のしわを有する「テクスチャ」を一般に有しなさいゾーンのことである。図１１〜１５は、背景パターン及びマクロパターンを形成するテクスチャゾーンの単なる例であり、本開示は、ベルト部分上に背景パターン及びマクロパターンを形成するテクスチャゾーンの複数の構成を意図している。非テクスチャゾーンを有する１のベルト部分又はベルト部分の一方若しくは両方の部分を有することも、本開示の範囲内にある。
【００７５】
一実施形態では、図１１を参照すると、吸収性物品３１２は、２の異なるテクスチャゾーンを有するベルト部分３００を有し得る。第１テクスチャゾーンはベルト部分３００内に背景パターン３３４を形成し得、第２テクスチャゾーンはベルト部分３００内にマクロパターン３３６を形成し得る。同じ背景パターン３３４及びマクロパターン３３６が第２ベルト部分３０８（図示されていないが）上にも形成され得、あるいはその他の背景パターン及びマクロパターンを形成するテクスチャゾーンが第２ベルト部分３０８上に形成され得る。マクロパターン３３６は、複数の個別の直線状又は実質的に直線状の要素から形成され得る。個別の直線状要素は、背景パターン３３４の部分を互いから分離させる。個別の直線状要素のそれぞれは、背景パターン３３４の一部分によって包囲されるか、又は少なくとも部分的に包囲され得る。マクロパターン３３６は、（１）マクロパターン３３６を形成する部分及び背景パターン３３４を形成する部分における基材３０２及び３０４における異なる主繊維結合部のパターン、（２）マクロパターン３３６を形成する部分及び背景パターン３３４を形成する部分における基材３０２及び３０４の間に配置される異なる接着剤パターン、（３）マクロパターン３３６を形成する部分及び背景パターン３３４を形成する部分における基材３０２及び３０４に対する、弾性要素３０６の異なる接着剤取り付け、（４）マクロパターン３３６を形成する部分及び背景パターン３３４を形成する部分における基材３０２及び３０４においての異なる高密度区域パターン、並びに（５）項目１〜４の任意の組み合わせ、のうちの少なくとも１によって、背景パターン３３４として異なるテクスチャゾーンに形成され得る。更に、その他のパターンを形成するその他のテクスチャゾーンも、ベルト部分３００及び３０８に提供することができる。
【００７６】
一実施形態では、図１２を参照すると、吸収性物品３１２は、２のテクスチャゾーンを有するベルト部分３００を有し得る。第１テクスチャゾーンはベルト部分３００内に背景パターン３３４を形成し得、第２テクスチャゾーンはベルト部分内にマクロパターン３３６を形成し得る。マクロパターン３３６は、例えば個別の波線又は波形に形成されてもよい。背景パターン３３４は、少なくとも部分的に若しくは完全にマクロパターン３３６又はその部分を包囲し得、また、マクロパターン３３４は、背景パターン３３４の部分を互いから分離させ得る。第２ベルト部分３０８は、２のテクスチャゾーンを更に有し得、そのうちの少なくとも１は、ベルト部分３００の２のテクスチャゾーンとは異なっていてもよい。第１テクスチャゾーンはベルト部分３０８内に背景パターン３３４を形成し得、第２テクスチャゾーンはベルト部分３０８内にマクロパターン３３６を形成し得る。第２ベルト部分３０８内のマクロパターン３３６は、例えば卵形に形成されてもよく、また背景パターン３３４によって包囲されていてもよい。様々なテクスチャゾーンを本明細書で述べるように形成することができる。一実施形態では、ベルト部分３００及び３０８上のマクロパターン及び／又は背景パターンは、着用者の下部胴体付周辺で吸収性物品の適切な配向を示し得る。例えば、波線状のマクロパターン３３６は吸収性物品３１２の前側部分であり得、一方で卵形のマクロパターン３３６は吸収性物品３１２の後側部分であり得る。こうした特徴を提供することで、介護人は、小児又はその他の個人の下部胴体上に吸収性物品３１２を適切に着用させる方法を容易に認め得る。更に、その他のパターンを形成するその他のテクスチャゾーンも、ベルト部分３００及び３０８に提供することができる。
【００７７】
一実施形態では、図１３を参照すると、吸収性物品３１２は、２のテクスチャゾーンを有するベルト部分３００を有し得る。２のテクスチャゾーンは、ベルト部分３００内に背景パターン３３４及びマクロパターン３３６を形成し得る。マクロパターン３３６は、しるし、ロゴ、ブランドのしるし、及び／又は例えば単語「前側」などの文章を有し得る。単語「前側」は、介護人に対して、着用者上における吸収性物品３１２の適切な配向を示し得る。一実施形態では、図示されていないが、第２ベルト部分３０８もまた、しるし、ロゴ、ブランドのしるし、及び／又は例えば単語「後部」若しくは「後側」などの文章を有し得る。単語「後部」又は「後側」は、介護人に対して、吸収性物品３１２の着用者上における適切な配向を示し得る。２のテクスチャゾーンを、本明細書に述べるように形成することができる。更に、その他のパターンを形成するその他のテクスチャゾーンも、ベルト部分３００及び３０８内に提供することができる。
【００７８】
一実施形態では、図１４を参照すると、吸収性物品３１２は、ベルト部分３００及び第２ベルト部分３０８を有し得る。ベルト部分３００及び３０８の各テクスチャゾーンが、背景パターン３３４及びマクロパターン３３６を有し得る。マクロパターン３３６は、例えば星形などの任意の好適な形状を有し得る。マクロパターン３３６は、背景パターン３３４によって完全に又は部分的に包囲され得る。様々な実施形態では、マクロパターン３３６及び背景パターン３３４は、第１ベルト部分３００及び第２ベルト部分３０８上で同じであり得る。ベルト部分３００及び３０８内で、例えばしるし、ロゴ、ブランドのしるし、又は文章などを形成するその他のテクスチャゾーンなどの、その他のパターンを形成するその他のテクスチャゾーンもまた提供され得る。
【００７９】
一実施形態では、図１５を参照すると、吸収性物品３１２は、ベルト部分３００及び第２ベルト部分３０８を有し得る。各ベルト部分３００及び３０８は、３のテクスチャゾーンを有し得る。第１テクスチャゾーンは、ベルト部分３００及び３０８内に背景パターン３３４を形成し得る。第２テクスチャゾーンは、ベルト部分３００及び３０８内に第１マクロパターン３３６を形成し得、第３テクスチャゾーンはベルト部分３００及び３０８内に第２マクロパターン３３８を形成し得る。ベルト部分３００及び３０８内の背景パターン３３４は、同じでも、実質的に同じでも、又は異なっていてもよい。同様に、ベルト部分３００及び３０８内の第１マクロパターン３３６は、同じでも、実質的に同じでも、又は異なっていてもよい。これらが異なる場合は、これらは例えば異なる形状を形成する場合があり、かつ異なる面積を有する場合がある。示された実施形態の例では、第１ベルト部分３００内の第１マクロパターン３３６は、第２ベルト部分３０８内の第１マクロパターン３３６とは異なる形状を形成し、かつ異なる面積を有する。また、第１ベルト部分３００内の第２マクロパターン３３８は、第２ベルト部分３０８内の第２マクロパターン３３８とは異なる形状を形成し得、かつ異なる面積を有し得る。マクロパターンのその他の構成、及び更なるマクロパターンは本開示の範囲内にある。
【００８０】
本明細書で参照した様々なマクロパターン及び背景パターンは、ベルト部分３００又は３０８の面積の全部又は一部分にわたって延在し得る。一実施形態では、背景パターンは格子様の構造（例えば図１６を参照）を形成し得、マクロパターンは格子様構造の間に位置付けられる個別の要素を形成し得る。マクロパターン及び／又は背景パターンは、第１側縁部３１４から第２側縁部３１４へと、又は部分的にそれらの間へと延在し得る。同様に、マクロパターン及び／又は背景パターンは腰部開口部縁部３１８若しくは３２０から脚部開口部縁部３２２若しくは３２４へと、又は部分的にそれらの間へと延在し得る。一実施形態では、マクロパターンと背景パターンとは、１又は複数のベルト部分３００及び３０８に関して入れ替えることができる。例えば、第１側縁部３１４と第２側縁部３１６との間の方向において、又は腰部開口部縁部３１８及び／若しくは３２０と脚部開口部縁部３２２及び／若しくは３２４との間の方向において、パターンは背景パターン、マクロパターン、背景パターン、マクロパターン、等々となってもよい。一実施形態では、背景パターンはベルト部分３００及び３０８の外側部分すなわち境界を形成し得、マクロパターンは外側部分すなわち境界によって包囲される領域を形成し得るが、その逆もあり得る。ベルト部分上の背景パターン及びマクロパターンのその他の構成は、本開示によって意図される。
【００８１】
吸収性物品３１２上に本開示の背景パターン３３４及びマクロパターン３３６を形成するテクスチャゾーンのいくつかの外観の例を図１６〜１８に示す。様々な実施形態で見ることができるように、背景パターン３３４及びマクロパターン３３６を形成するテクスチャゾーンは、吸収性物品３１２の腰部開口部周辺及び脚部開口部周辺に延在し得る。当然ながら、テクスチャゾーンは更に、少なくとも一基材上に、また場合によっては２の基材間に配置された弾性要素を有する吸収性物品３１２の任意のその他の領域、ベルト部分、又はその他の部分を通して延在してもよい。様々な実施形態では、図のいくつかに示されるように、様々なテクスチャゾーンの見えやすさを向上させるために、プリント法、アウトライン法、ペイント法、染色法（dying）、色付け法、及び／又はその他の技術を更に用いてもよい。
【００８２】
一実施形態では、図１９を参照すると、吸収性物品用のベルト部分３００の別の例が示される。吸収性物品は、その内部に背景パターン３３４及びマクロパターン３３６を形成するテクスチャゾーンを有する。背景パターン３３４は、マクロパターン３３６とは異なるテクスチャを有する。ベルト部分３００は、第１基材３０２、第２基材３０４、及び第１基材３０２と第２基材３０４との間に配置された複数の弾性要素３０６を有する。
【００８３】
一実施形態では、図１９Ａを参照すると、図１９の線１９Ａ−１９Ａについて取られた断面の例が示される。図１９Ａは、マクロパターン３３６及び背景パターン３３４を示す。マクロパターン３３６は各しわの第１頻度又は頻度範囲Ｆ１及び第１振幅及び振幅範囲Ａ１を有し、背景パターン３３４は各しわの第２頻度又は第２頻度範囲Ｆ２及び第２振幅又は振幅範囲Ａ２を有する。第１頻度Ｆ１は第２頻度Ｆ２とは異なり、同様に第１振幅Ａ１は第２振幅Ａ２とは異なる。しわのこうした頻度及び振幅範囲は特定のマクロパターン及び背景パターン内で形成され得るため、特定のマクロパターン又は背景パターン内の各しわは、完全に同じ頻度又は振幅を有さない場合があることを理解されたい。特定のマクロパターン又は背景パターンにおけるしわの頻度及び振幅範囲は、同じ吸収性物品内の１又は複数のその他のマクロパターン又は背景パターンにおけるしわの頻度及び振幅範囲と異なっていても、同じであっても、又は少なくとも部分的に重複していてもよい。高密度区域「ＤＲ」を図１９Ａに示す。基材中の高密度区域は、例えば基材中の非高密度領域の厚さの約３分の１未満の厚さを有し得る。マクロパターン３３６における高密度区域ＤＲの寸法は、背景パターン３３４における高密度区域ＤＲの寸法と異なる場合がある。図１９Ａでは、弾性要素３０６は弛緩状態にある。
【００８４】
一実施形態では、ベルト部分の第１基材は、複数の高密度区域を有する不織布材料を有し得る。ベルト部分もまた、不織布材料を有し得て、かつ複数の高密度区域を有し得、又は複数の高密度区域を含まない第２基材を有し得る。第１基材及び／又は第２基材は、１ｃｍあたりのしわが約７、７、約８、８、約９、又は９より大きく、約２５未満であるしわ頻度を有し得る。第１及び／又は第２基材中の複数の高密度区域は、第１及び／又は第２基材中に形成された１又は複数のテクスチャゾーンのしわ頻度を定め得る。様々な高密度区域が連続的及び／又は非連続的であり得る。基材は、連続的な高密度区域及び非連続的な高密度区域を有し得る。ベルト部分もまた、第１基材と第２基材との間に少なくとも部分的に配置された弾性要素を有し得る。
【００８５】
一実施形態では、ベルト部分の基材は、主繊維結合部によって一体に接合された２の層若しくは材料、及び／又はベルト部分のテクスチャゾーンのしわ頻度を定める高密度区域を有する積層体を有し得る。
【００８６】
一実施形態では、図１９Ａを参照すると、テクスチャゾーンにおけるしわは、正弦波形によって説明され得る。各しわは、その最高点で頂点Ｃを有し、最低点でトラフＴを有するように説明される。しわ長さは機械方向ＭＤにおける、２の隣接した頂点の間の直線距離によって画定され、下記のしわ長さ、しわ頻度、しわ振幅、弾性要素間隔、及びテクスチャ比法で説明する通りに測定される。しわ振幅は、「Ｚ」方向における隣接する頂点ＣとトラフＴとの間の直線距離によって画定され、下記のしわ長さ、しわ頻度、しわ振幅、弾性要素間隔、及びテクスチャ比法で説明する通りに測定される。しわ頻度は単位長さあたりのしわ長さによって示され、１ｃｍあたりのしわの数としてもたらされる。
【００８７】
マクロパターン及び背景パターン、又は単一の均一なテクスチャゾーンなどのその他のテクスチャゾーンを作るために用いられる好適なしわ頻度は、１ｃｍあたり約０．１〜約５０のしわ、あるいは１ｃｍあたり約０．５〜約２５のしわ、あるいは１ｃｍあたり約１〜約１０のしわ、あるいは１ｃｍあたり約５〜約１０のしわの範囲であってもよく、具体的には上記で引用される範囲内で列挙される１ｃｍあたり０．１刻みのしわの全て、及び上記で引用される範囲内に又は上記で引用される範囲によって形成される全てのしわの範囲が列挙される。好適なしわ振幅は、約０．２５〜約１５ｍｍ、あるいは約０．５〜約１０ｍｍ、あるいは約１〜約５ｍｍの範囲であってもよく、具体的には上記で指定される範囲内の全ての０．１ｍｍ刻み、及び上記で指定される範囲内に又は上記で指定される範囲によって形成される全ての範囲が列挙される。
【００８８】
弾性要素の間隔は、下記で説明するしわ長さ、しわ頻度、しわ振幅、弾性要素間隔、及びテクスチャ比法に従って測定され得る。弾性要素間隔の例は、約２〜約２０ｍｍ、約４〜約１８ｍｍ、約４〜約１５ｍｍ、約５〜約１５ｍｍ、約６〜約１５ｍｍ、４ｍｍより大きく、１５ｍｍ未満、約４ｍｍ、約５ｍｍ、約６ｍｍ、約７ｍｍ、約８ｍｍ、約９ｍｍ、又は約１０ｍｍであってもよく、具体的には上記で指定される範囲内の全ての０．５ｍｍ刻み、及び上記で指定される範囲内に又は上記で指定される範囲によって形成される全ての範囲が列挙される。様々な実施形態では、これら弾性要素は、互いに対して均一に離間配置されても、又は不均一に離間配置されてもよい。ベルト部分の一実施形態では、弾性要素はいくつかの部分では均一に離間されてもよく、他の部分では不均一に離間配置されてもよい。弾性要素は直線状であっても又は曲線状であってもよい。
【００８９】
本開示の吸収性物品の様々なベルト部分が、テクスチャ比を有する１又は複数のテクスチャゾーンを有し得る。テクスチャゾーンは均一であっても又は不均一であってもよい。テクスチャ比は、下記で説明するしわ長さ、しわ頻度、しわ振幅、弾性要素間隔、及びテクスチャ比法によって決定される。テクスチャ比のいくつかの例は、約３〜約３５（単位−平均弾性要素間隔／平均しわ長さ）又は約４〜約３０である場合がある。より高いテクスチャ比によって、本明細書に説明したその他の利点に加えて、より低いコストでぴったりとフィットし、かつ着用者の快適さが改善された製品が実現される。したがって、テクスチャ比のいくつかの範囲は、約４〜約２５、約４．５〜約２５、約５〜約２５、約５〜約２０、約５．５〜約２０、約６〜約２０、約７〜約２０、約４より大きい、約５より大きい、約５．５より大きい、約６より大きい、又は約７より大きいであり、具体的には本段落内で指定される範囲内の全ての０．１刻み、及び本段落内で指定される範囲内に又は本段落内で指定される範囲によって形成される全ての範囲が列挙される。
【００９０】
図２０Ａは、吸収性物品上で拡大した複数のしわを有するテクスチャゾーンの例を示す。図２０Ａに示される目盛はｃｍ単位である。テクスチャゾーンの例は、マクロパターン又は背景パターンを示す。しわのパターンが類似する特徴及び構造特性を有し得るか、頻度及び振幅又はそれらの範囲だけが変化し得るかのいずれかである。図２０Ａでは、弾性要素は「Ｅ」として示される。本明細書により詳細に説明されるように、ＭＤとは機械方向のことであり、ＣＤとは交差方向のことである。図２０Ａでは、第１基材３０２は読者に面している。図２０Ｂは、図２０Ａの線ＭＤについて第１倍率を用いて取られた断面図であり、図２０Ｃは、図２０Ａの線ＭＤについて第２倍率を用いて取られた断面図である。第２倍率は第１倍率よりも大きい。図２０Ｂ及び２０Ｃは、テクスチャゾーン内のしわを示している。図２０Ｄ及び２０Ｅは、線ＭＤについて取られた図２０Ａのテクスチャゾーンの一部分の透視図である。図２０Ｆは、図２０Ａの線ＭＤについて第３倍率を用いて取られた断面図である。図２０Ｄ〜２０Ｆでは、高密度区域はＤＲとして示されている。図２０Ａ〜２０Ｆにでは、弾性要素Ｅはその弛緩状態にある。
【００９１】
図２１Ａは線ＣＤについて取られて、しわ及び高密度区域ＤＲを示した図２０Ａのテクスチャゾーンの上面透視図である。図２１Ｂ及び２１Ｃは、第１倍率を用いて線ＣＤについて取られた図２０Ａの断面図である。図２１Ｄ及び２１Ｆは、第２倍率を用いて線ＣＤの一部分について取られた図２０Ａの断面図である。図２１Ｅ及び２１Ｇは、第２倍率を用いて線ＣＤの一部分について取られた図２０Ａの更なる断面図である。図２１Ｂ〜２１Ｇでは、弾性要素「Ｅ」はその弛緩状態で示されている。図２０Ａ〜２１Ｇの高密度区域ＤＲ又は高密度区域パターンは、図２４に示される高密度区域のパターンを用いて形成することができる。
【００９２】
一実施形態では、図１９及び１９Ａを再び参照すると、背景パターン３３４及びマクロパターン３３６内では、第１基材３０２及び第２基材３０４におけるしわの頻度及び／又は振幅の範囲は異なっていてもよい。例えば、より大きな頻度若しくは振幅のしわ、又はそれらの範囲は、衣類に面する表面上の基材上に提供され得て伸張を伴い、また、より小さな頻度若しくは振幅のしわ、又はそれらの範囲は、着用者に面する表面上の基材上に提供され得て着用者の皮膚上により滑らかな表面を作り、しわに伴う皮膚のしるし付けを防ぐか、又は少なくとも抑制する。弾性要素３０６が収縮されて弛緩状態又は部分的な弛緩状態にあるとき、「しわ」はプリーツ又は折り目によって第１及び第２基材３０２及び３０４内に形成される。第１及び第２基材３０２及び３０４は、結合部位３０９において弾性要素３０６と結合又は接着接合（例えば接着剤を用いて）され得る。いくつかの実施形態では、第１及び第２基材、又はそれらの部分もまた、お互いに直接結合又は接着結合されてもよい。図１９及び１９Ａでは、弾性要素３０６は、その弛緩すなわち収縮状態で示されている。弾性要素３０６が矢印Ａの方向に部分的に引き伸ばされると、第１及び第２基材３０２及び３０４内のしわは、平坦化しはじめることになる（すなわち振幅が減少する）。弾性要素３０６が矢印Ａの方向に完全に引き伸ばされるか、又は大部分が引き伸ばされると、第１及び第２基材３０２及び３０４は一般に平坦又は実質的に平坦になり得る。したがって、第１及び第２基材３０２及び３０４内にしわを形成するために、弾性要素３０６を、延ばした又は予め歪まされた状態にある第１及び第２基材３０２及び３０４の一方又は両方に取り付け、続いて収縮させてより低エネルギーの状態にする。
【００９３】
一実施形態では、あるテクスチャゾーン（背景パターンを形成するかマクロパターンを形成するかに関わらず）のしわは、ベルト部分の少なくとも１のその他のテクスチャゾーン（背景パターンを形成するか、マクロパターンを形成するかに関わらず）のしわと同じであるか、又は異なる場合がある。その他の実施形態では、あるテクスチャゾーンのしわは、ベルト部分内又は吸収性物品内（例えば２のベルト部分）の他のテクスチャゾーン全てのしわと同じであるか、又は異なる場合がある。第１テクスチャゾーン内のしわは第１振幅範囲及び／又は第１頻度範囲を有し得、第２テクスチャゾーン内のしわは第２振幅範囲及び／又は第２頻度範囲を有し得る。２以上のテクスチャゾーン内の振幅範囲は、重なり合っても、重なり合わなくても、同じでも、又は異なっていてもよい。同様に、２以上のテクスチャゾーン内の頻度範囲は、重なり合っても、重なり合わなくても、同じでも、又は異なっていてもよい。他の実施形態では、しわの形状は、角張る、台形状になる、非対称になる、円形になる、三角形になる、又はその他の好適な幾何学的形状になることで、テクスチャの外観に影響を与え得る。更に他の実施形態では、しわは同じ又は非常に類似した頻度を有してもよいが、別の形状を有してもよい（例えば三角形、円形、台形）。
【００９４】
本明細書に説明するように、様々なテクスチャゾーン（背景パターンを形成するか、若しくはマクロパターンを形成するか、又は単一のテクスチャゾーンを形成するかに関わらず）が、第１基材、第２基材、及びそれらの間に配置される複数の弾性要素を有するベルト部分内に形成され得る。第１基材は、第２基材及び／又は弾性要素のうちの少なくともいくつかに取り付けられ得る。他の実施形態では、第１及び第２基材は互いに及び／又は弾性要素に取り付けられ得る。いかなる場合でも、弾性要素は基材のうちの少なくとも１に取り付けられ得る。一実施形態では、弾性要素によって、第１しわが第１基材内に作られ得、また第２異なるしわが、第２基材内の、ベルト部分と同じ面積であるが、ベルト部分と対向する面に作られ得る。このタイプのテクスチャリングは、第１基材及び第２基材のそれぞれにおける主繊維結合部のパターン又はその他のより大きな結合部のパターン（すなわち高密度区域）によって引き起こされ得る。こうした一実施形態では、第１基材は第２基材とは異なる主繊維結合部のパターンを有し得る。様々な実施形態では、第１基材の第１主繊維結合部のパターンにおける結合部面積は、第２基材の第２主繊維結合部のパターンにおける結合部面積と比べてより大きくても又はより小さくてもよい。
【００９５】
一実施形態では、図１１を再び参照すると、吸収性物品３１２は、シャーシ３１０と、シャーシ３１０の第１端部分から延在する第１ベルト部分３００と、シャーシ３１０の第２端部分から延在する第２ベルト部分３０８とを有し得る。図１１は、衣類に面する表面が読者に向くように配向されている。シャーシ３１０のバックシート３３０が衣類に面する表面の一部分を形成し得るように、シャーシ３１０は、第１ベルト部分３００及び／又は第２ベルト部分３０８の一部分と重なり合ってもよい。換言すれば、ベルト部分３００及び３０８は、シャーシ３１０のトップシート３３２と向かい合わせの関係であってもよい。上記でより詳細に説明したように、シャーシ３１０はまた、トップシート３３２とバックシート３３０との少なくとも一部分の間に位置付けられた吸収性コア３５０も有し得る。一実施形態では、ベルト部分３００及び３０８は、背景パターン３３４を形成する第１テクスチャゾーン、マクロパターン３３６を形成する第２テクスチャゾーン、及び任意で１又は複数のその他のテクスチャゾーンを有し得る。背景パターン３３４を形成する第１テクスチャゾーンは、バックシート３３０と異なるテクスチャ、及びマクロパターン３３６を形成する第２テクスチャゾーンと異なるか又は同じテクスチャを有し得る。一実施形態では、第１テクスチャゾーンは第１しわ範囲を有し得、第２テクスチャゾーンは第２しわ範囲を有し得、またバックシートのテクスチャは実質的に平坦であり得る（すなわち、しわを有さない）。バックシート３３０は「非テクスチャゾーン」の一例であり得る。他の実施形態では、バックシート３３０又はその部分は、第１及び第２テクスチャゾーンの一方又は両方のしわ範囲と同じか又は異なるしわ範囲を有し得る。ベルト部分３００及び３０８がバックシート３３０と向かい合わせの関係にある場合、トップシート３３２は上記のバックシート３３０と類似した特徴を有し得る。その他の実施形態では、ベルト部分３００及び３０８内の弾性要素３０６は、いくつかの領域において弾性要素を基材（１又は複数）に結合させずに、弾性要素３０６を切断又は破壊して、それにより更なる「非テクスチャゾーン」を作ることにより「活性化」されない場合がある。一実施形態では、この非活性化ゾーンは、例えば吸収性コア３５０の領域又は領域の一部分にわたって発生し得る。
【００９６】
一実施形態では、図９及び１１を参照すると、吸収性物品３１２は、第１ベルト部分３００及び第２ベルト部分３０８を有し得る。第１ベルト部分３００は第１基材３０２、第１基材３０２の少なくとも一部分に接合された第２基材３０４、及び第１基材３０２と第２基材３０４との間に少なくとも部分的に配置された複数の細長い弾性要素すなわちストランド３０６を有し得る。第２ベルト部分３０８は第３基材及び第４基材（基材３０２及び３０４と類似するか又は同じである）を有し得る。第４基材は、第３基材の少なくとも一部分に接合され得る。第２ベルト部分３０８は、第３基材と第４基材との間に少なくとも部分的に配置された複数の細長い弾性要素すなわちストランドを有し得る。第１及び第２ベルト部分３００及び３０８はそれぞれ、５より大きく、２５未満であるか又は５より大きいテクスチャ比を有するテクスチャゾーンを有し得、具体的には指定される範囲内の全ての０．５ｍｍ刻み、及び指定される範囲内に又は指定される範囲によって形成される全ての範囲が列挙され、また具体的には本明細書に説明される全てのテクスチャ比が含まれる。第１ベルト部分３００の部分は、第２ベルト部分３０８の部分と接合されて、パンツを形成し得る。第１及び第２ベルト部分３００及び３０８のテクスチャゾーンは、少なくとも第１ベルト部分３００の部分が第２ベルト部分３０８の部分に接合される場所の近位で連続的かつ均一であり得る。他の実施形態では、第１及び第２ベルト部分３００及び３０８のテクスチャゾーンは、少なくとも第１ベルト部分３００の部分が第２ベルト部分３０８の部分に接合される場所の近位で非連続的かつ均一又は不均一であり得る。第１及び第２ベルト部分のテクスチャゾーンは、同じテクスチャ比を有しても又は異なるテクスチャ比を有してもよい。第１ベルト部分３００の部分は、第２ベルト部分３０８の部分に着脱自在に接合されても又は恒久的に接合されてもよい。
【００９７】
様々な実施形態では、図１９を再び参照すると、上記でより詳細に説明したように、例えば、弾性要素３０６は、第１基材３０２と第２基材３０４との間の少なくとも一部分に配置され得、また、接着剤又はその他の材料を用いて基材３０２及び３０４の一方又は両方に取り付けられ得る。弾性要素３０６はまた、基材３０２及び３０４の一方又は両方にも結合又はその他の方法で取り付けられ得る。接着剤が用いられる場合、接着剤は基材３０２及び３０４の一方若しくは両方、及び／又は弾性要素３０６の少なくとも部分の上に１のパターンで配置され得る。接着剤は、基材３０２及び３０４の一方の上にこのパターンで噴霧、回転塗布、又はプリントされてもよい。このパターンは連続的であっても若しくは非連続的であってもよく、又は連続的若しくは非連続的な部分を有していてもよい。このパターンはまた、直線状であっても若しくは非直線状であってもよく、又は別個の形状を有していてもよい。一実施形態では、接着剤は、接着剤塗布装置を基材３０２及び３０４の一方若しくは両方に、又は複数の弾性要素３０６に接触させることで塗布され得る。接着剤及び／又は接着剤塗布装置は、接着剤の分布又は塗布を補助するために加熱されてもよい。本開示の接着剤を塗布するための技術及び機器のいくつかの例は、Ｂｒｏｗｎらに対する２０１１年１１月１０日発行の米国特許出願公開第２０１１／０２７４８３４に開示されている。
【００９８】
様々な実施形態では、図２２Ａ〜２２Ｆを参照すると、要素の接着剤パターンのいくつかの例が、例えば第１基材３０２の部分上で開示されている。機械方向（ＭＤ）が図示されている。図２２Ａは、本開示のテクスチャゾーン（マクロパターンか又は背景パターンかに関わらず）を作るためにはあまり望ましくない場合のある（それでも、適切なしわの規模である場合には、様々な主繊維結合部のパターンと共に用いることの可能な）要素３１１の接着剤パターンを示し、一方で、図２２〜２２Ｅの要素３１１’及び３１１”の接着剤パターンは、本開示のテクスチャゾーンを作るにはより好ましい場合のある要素３１１’、３１１”、３１１Ａ、及び３１１Ｂの接着剤パターンをそれぞれ示す。一実施形態では、図２２Ｂに図示されるパターンなどの要素３１１’の第１接着剤パターンは、基材３０２又は３０４のうちの一方のマクロパターン領域内に適用され得、一方で、図２２Ｃに図示されるパターンなどの要素３１１’の第２接着剤パターンは、基材３０２又は３０４のうちの一方の背景パターン領域内に適用され得る。別の実施形態では、図２２Ｄに図示されるパターンなどの要素３１１Ａの第１接着剤パターンは、基材３０２又は３０４のうちの一方のマクロパターン領域内に適用され得、一方で、図２２Ｅに図示されるパターンなどの要素３１１Ｂの第２接着剤パターンは、基材３０２又は３０４のうちの一方の背景パターン領域内に適用され得る。図２２Ａ〜２２Ｅの様々な接着剤パターン、又はその他の接着剤パターンのいずれもが、様々なテクスチャゾーン内におけるマクロパターン及び背景パターンの作製に用いられ得る。図２２Ｆに示すように、要素３１１Ｃのパターンは、互いに重なり合っても、又は部分的に重なり合ってもよい。重なり合ったパターンは、単一の接着剤塗布工程で適用されても、又は個別に適用されてもよい。要素の様々な接着剤パターンは、サイズ及び形状を有した要素又は個別の要素を有し得る。パターンはまた、要素間で異なる間隔を有し得る。要素の第１接着剤パターンは第１サイズ及び第１形状を有する要素を有し得、また要素の第２接着剤パターンは、第２サイズ及び第２形状を有する要素を有し得る。第１及び第２サイズ並びに／又は第１及び第２形状は、同じであっても又は異なっていてもよい。一実施形態では、要素の接着剤パターンの要素は、弾性要素３０６の一部分上に非連続的に位置付けられ得る（図２２Ａ〜２２Ｅには弾性要素３０６が１だけ示されている）。要素の接着剤パターン（単数又は複数）を適用する前に、延ばした状態の弾性要素３０６を第１基材３０２の一部分又は全部にわたり配置してもよい。次に第２基材３０４（図２２Ａ〜２２Ｅには図示せず）を、接着剤をその上に配置した第１基材３０２の部分及び／又は弾性要素３０６の部分に接合してもよい。したがって、弾性要素３０６は、延ばした状態であっても第１及び第２基材３０２及び３０４に断続的に接着剤取り付けされ得る。要素の異なる接着剤パターンを用いて、様々なテクスチャゾーン（背景パターンを形成するか、又はマクロパターンを形成するかに関わらず）内に異なるテクスチャを作ることができる。これらの異なるテクスチャゾーンは、基材３０２及び３０４のうちの１又は複数に対する弾性要素３０６の接着剤取り付けの位置及び／又は面積を基に作られ得る。弾性要素３０６を異なるテクスチャゾーン内に異なるように取り付けることで、要素の接着剤パターンの部分の間にある基材３０２及び３０４内の非取り付け材料は、弾性要素３０６がそのより低い又は最低のエネルギー状態まで収縮するときに、折り畳まれ得るか又はプリーツが付けられ得る（すなわちしわが作られる）。様々な弾性要素３０６の間の間隔は、同じか又は実質的に同じであってもよく、それでもなお異なるテクスチャゾーンが作られ得る。また、異なるテクスチャゾーンにおいて、弾性要素３０６の第１基材３０２に対する取り付けとは異なるように第２基材３０４を弾性要素３０６に取り付けることで、弾性要素３０６がそのより低いエネルギー状態まで収縮するとき、要素の接着剤パターンの部分の間にある第２基材３０４内の非取り付け材料が、折リ畳まれるか又はプリーツを付けられる（すなわちしわを作られる）。上記で引用したように、弾性要素３０６は、弾性要素３０６が予め歪まされた又は延ばしたとき、要素の接着剤パターンを介して基材３０２及び３０４の一方又は両方に取り付けられ得る。弾性要素３０６上の歪みが解放されると（接着剤取り付け後）、弾性要素３０６が収縮して、それにより基材３０２及び３０４の非取り付け材料が、第１及び第２基材３０２及び３０４内にひだ、よじれ、プリーツ、折り目、又はしわのパターンを本質的に形成して、それによりテクスチャゾーンが作り出される。ひだ、よじれ、プリーツ、折り目、又はしわは、ベルト部分３００及び３０８の横方向の伸縮に対応可能なギャザー材料から形成され得る。ひだ、よじれ、プリーツ、折り目、又はしわは、弾性要素３０６の横方向収縮方向に対して大まかに横断方向すなわち垂直であり得る線に沿って配向される。示された例では、弾性要素３０６は、おおよそ機械方向で収縮するようになっている。更なるテクスチャゾーンが提供される場合、ベルト部分３００及び３０８の異なる面積で、要素の２より大きい接着剤パターンが基材３０２及び３０４の一方又は両方に適用され得る。別の実施形態では、要素の１だけの接着剤パターンが基材３０２及び３０４の一方又は両方に適用され得、各テクスチャゾーン内で弾性要素３０６が弾性要素３０６に対して異なるように取り付けられ得る。様々な実施形態では、第１及び第２基材３０２及び３０４が異なる主繊維結合部のパターン又は高密度区域を有する場合は、後述するように、ベルト部分内で２以上のテクスチャゾーンをまだ作っている間に、要素の１の接着剤パターンを基材３０２及び３０４の両方のうち１に適用し得る。要素の異なる接着剤パターンもまた、１のベルト部分に２以上のテクスチャゾーンを作るために、異なる又は同じ主繊維結合部のパターン又は高密度区域を有する第１及び第２基材３０２及び／又は３０４に適用され得る。
【００９９】
上記で引用したように、様々なテクスチャゾーン内に第１及び第２基材３０２及び３０４内にしわを作る別の方法は（背景パターンを形成するか、若しくはマクロパターンを形成するか、又は単一のテクスチャゾーンを形成するかに関わらず）、異なる主繊維結合部のパターン及び／又は高密度区域を有する基材を用いることである。こうした一実施形態では、ベルト部分３００及び３０８の全体で要素の接着剤パターンが同じであっても、実質的に同じであっても、又は異なっていてもよい。一実施形態では、第１基材３０２は第１主繊維結合部のパターンを有し得、第２基材３０４は第２主繊維結合部のパターンを有し得る。これらの第１及び第２主繊維結合部のパターンは同じであっても又は異なっていてもよい。主繊維結合部のパターン３３８Ａ及び３３８Ｂの例は、図２３Ａ及び２３Ｂの第１及び第２基材３０２及び３０４にそれぞれ示されている。パターンは、例えば、結合部の形状、結合部のサイズ、及び／又は結合部間の間隔を含む。当業者は、不織布材料上に利用可能又は作製可能な主繊維結合部のパターンが複数存在すること、及び本開示は図示された主繊維結合部のパターンに限定されないということを認めるであろう。主繊維結合部のパターンを形成する主繊維結合部は、不織布材料などの材料の繊維を一体に保持し、かつ基材に強度及び構造を付与する結合部である。主繊維結合部のパターンを形成する主繊維結合部は、例えば熱結合部、機械的結合部、及び／又は高密度区域である。弾性要素３０６（図２３Ａ及び２３Ｂのそれぞれに１だけ図示されている）、又はその部分は、主繊維結合部位のいくつかで、又は主繊維結合部位を有さない第１及び第２基材３０２及び３０４内の領域で、第１及び／又は第２基材３０２及び３０４に接着剤取り付けされ得る。一実施形態では、弾性要素３０６のいくつかは、第１基材３０２に接着剤取り付けされ得、弾性要素３０６のその他は、第２基材３０４に接着剤取り付けされ得る。弾性要素３０６のいくつか、又はその部分は、第１及び第２基材３０２及び３０４の両方に接着剤取り付けされ得る。
【０１００】
一実施形態では、図２３Ａ及び２３Ｂを再び参照すると、主繊維結合部のパターン３３８Ａ及び３３８Ｂに加えて又はその代わりに、第１及び第２基材３０２及び３０４の一方又は両方は、高密度区域３４０Ａ及び３４０Ｂなどの高密度区域のパターンを有し得る。パターンは、例えば、高密度区域の形状、高密度区域のサイズ、及び／又は高密度区域間の間隔を含み得る。一実施形態では、高密度区域はまた、基材内で主繊維結合部を形成するようにも働き得る。高密度区域は、カレンダー加工、エンボス加工、加熱、その他の機械的若しくは熱的変形、及び／又は高密度化によって形成され得る。高密度区域は、主繊維結合部３３８Ａ並び３３８Ｂの面積並びに長さ寸法及び幅寸法と比較して、より大きな面積、長さ寸法、及び／又は幅寸法を有し得る。一実施形態では、高密度区域又はその部分は、少なくとも１の弾性要素３０６の長手方向軸線に対して横断方向すなわち垂直に延在し得る。図を簡略化するために、図２３Ａ及び２３Ｂにはそれぞれ１の弾性要素３０６のみが図示されている。一実施形態では、高密度区域は、形状又はその他のしるしを形成し得る。様々な高密度区域が、その長さ全体を通して連続的、実質的に連続的、又は非連続的であってもよい。例えば、いくつかの高密度区域は連続的であってもよく、一方でその他は非連続的であってもよい。高密度区域は、直線状又は非直線状（例えば弓形）であってもよく、又は直線状又は非直線状部分を有してもよく、また、第１及び第２基材３０２及び３０４の一方又は両方の内にパターンを形成してもよい。第１基材３０２内の高密度区域のパターンは、第２基材３０４内の高密度区域のパターンと同じであっても又は異なっていてもよい。一実施形態では、基材が複合材である場合は、単一基材内の高密度区域はまた、基材の２以上の材料層の間に結合されてもよい。高密度区域３４０Ａ及び３４０Ｂのパターンのいくつかの例が、図２３Ａ及び２３Ｂの基材３０２及び３０４に図示されている。高密度区域３４０Ａ及び３４０Ｂは、いくつかの位置において、主繊維結合部３３８Ａ及び３３８Ｂと交差してもよい。追加の主繊維結合部が全く存在しない高密度区域３４２の別のパターンが図２４に示されている。参照のため、図２４に弾性要素３０６を長破線で示す。様々な高密度区域間の距離は、同じすなわち一貫していても、又は異なっていてもよい。これらが同じすなわち一貫している場合、例えば、要素の異なる接着剤パターンを用いることで、異なるテクスチャゾーンをなお提供し得る。様々な実施形態では、第１及び第２基材３０２及び３０４の一方又は両方において、主繊維結合部及び／又は高密度区域が提供され得る。一実施形態では、例えば主繊維結合部が第１基材３０２内に提供され得、高密度区域が第２基材３０４内に提供され得る。様々な実施形態では、高密度区域又はその部分は、弾性要素３０６の延伸方向に対して、概して横断方向に、垂直に、又は実質的に垂直に延在し得る。
【０１０１】
用語「主繊維結合部」及び「高密度区域」は、それぞれ基材内に形成された結合部を指す。主繊維結合部及び高密度区域はそれぞれ、主繊維結合部及び高密度区域が形成された基材の平面に対して垂直の方向に厚さを有し、厚さは主繊維結合部又は高密度区域を有しない基材のいかなる面積（すなわち非結合部面積）よりも少ない。一実施形態では、主繊維結合部は、高密度区域と同じか又は異なる厚さを有し得る。様々な実施形態では、高密度区域は、主繊維結合部よりも大きな外周、長さ（Ｌ）、及び／又は幅（Ｗ）を有し得る。用語「主繊維結合部のパターン」及び「高密度区域パターン」は、基材に付与された主繊維結合部のパターン又は高密度区域のパターンをそれぞれ指す。用語「結合部」は、基材の非結合部領域の繊維又はフィラメントと比較して基材の繊維又はフィラメントが実質的により相互連結した、結合繊維基材上の特異な位置を指す用語「結合部外周部」は、主繊維結合部又は高密度区域と包囲する非結合又は非高密度化領域との間の境界を画定する、結合部（主繊維結合部又は高密度区域のいずれか）の最外縁部を指す。以下で説明するように、外周は、結合部の側部を測定してから、これらの側部の合計を取ることで測定され得る。
【０１０２】
主繊維結合部のパターン及び高密度区域パターンは、熱、圧力、超音波結合、接着剤、若しくは当業者に周知されるその他の結合技術、又はこれらのうちの任意の組み合わせを用いるなどの様々な方法で繊維状ウェブに付与され得る。例えば、繊維基材は、繊維基材を加熱したカレンダーロール（複数の隆起したランドを有する）よって形成されたニップ及び別のロールにパスすることで結合され得て、その結果、ランドが繊維基材上に主繊維結合部又は高密度区域を形成する。
【０１０３】
図２５Ａ及び２５Ｂを参照すると、それぞれ長さ（Ｌ）及び幅（Ｗ）を有する高密度区域３４０Ａ（図２５Ａ）及び主繊維結合部３３８Ｂ（図２５Ｂ）の例が示される。非結合部領域（Ｕ）もまた示されている。長さ（Ｌ）は、デカルト座標系のＸ又はＹ方向に、主繊維結合部又は高密度区域の一方の端部から主繊維結合部又は高密度区域のもう一方の端部まで、直線的に測定される。長さ（Ｌ）は、それがＸ方向にあるか又はＹ方向にあるかに関係なく、主繊維結合部又は高密度区域の最長寸法を形成する。幅（Ｗ）は、主繊維結合部又は高密度区域の一方の側部から、主繊維結合部又は高密度区域のもう一方の側部までを、直線的に測定される。幅は、長さ（Ｌ）に対して垂直のＸ又はＹ方向（長さ（Ｌ）が測定された方向とは反対の方向）に関して測定される。主繊維結合部又は高密度区域が円形である場合、幅（Ｗ）は長さ（Ｌ）と等しくなることになる。
【０１０４】
様々な実施形態では、高密度区域のそれぞれは、どの構成を取るかに関係なく、外周及び面積を有する。一実施形態では、高密度区域のそれぞれは、約１ｍｍより大きい、約２ｍｍより大きい、約３ｍｍより大きい、約４ｍｍより大きい、又は約５ｍｍより大きい外周を有し得る。その他の実施形態では、高密度区域の外周は、約１ｍｍ〜約１００ｍｍ、あるいは約１ｍｍ〜約５０ｍｍの範囲であってもよく、具体的には指定される範囲内の０．１ｍｍ刻みの全て、及び指定される範囲内に又は指定される範囲によって形成される全ての範囲が列挙される。外周は、高密度区域の各側部を測定して、これらの側部の合計を取ることによって測定され得る。一実施形態では、高密度区域のそれぞれは、約２ｍｍ２より大きい、約４ｍｍ２より大きい、約５ｍｍ２より大きい、約６ｍｍ２より大きい、又は約７ｍｍ２より大きい面積を有し得る。その他の実施形態では、高密度区域の面積は、約０．５ｍｍ２〜約１５０ｍｍ２、あるいは約２ｍｍ２〜約１００ｍｍ２の範囲であってもよく、具体的には指定される範囲内の全ての０．１ｍｍ２刻み、及び指定される範囲内に又は指定される範囲によって形成される全ての範囲が列挙される。各高密度区域の外周及び面積は、各主繊維結合部の外周及び面積より大きくてもよい。様々な実施形態では、各高密度区域は、約０．５ｍｍ、あるいは約０．５ｍｍ〜約２０ｍｍの範囲の最小寸法すなわち最狭寸法を有し得、具体的にはこの範囲内の全ての０．１ｍｍ刻み、及びこの範囲内に形成されるすべての範囲が列挙される。各高密度区域は約０．５ｍｍ〜約３０ｍｍの最長寸法を有し得、具体的にはこの範囲内の全ての０．１ｍｍ刻み、及びこの範囲内に形成される全ての範囲が列挙される。基材内の高密度区域は、同じ寸法を有してもよく、又は異なる寸法を有してもよい。高密度区域が連続的である場合、高密度区域の最大寸法における長さは、測定された試料のサイズと等しいと仮定されてもよい。試料の推奨サイズは長さ２５ｍｍである。本明細書に説明される全ての寸法は、巻尺を用いて手によって、又は計測機を用いることによって測定され得る。更に、積層体の一基材内の高密度区域は、積層体の第２基材内の高密度区域と同じであっても、又は異なっていてもよい。その他の実施形態では、積層体の１の基材だけが高密度区域を有し得る。
【０１０５】
様々な実施形態では、高密度区域は縦横比をそれぞれ有し得る。縦横比とは、高密度区域の、最長点における長さの最幅広点における幅に対する比である。様々な実施形態では、高密度区域は長さＬ及び幅Ｗを有する。高密度区域の縦横比はＬ／Ｗである。高密度区域の長さ及び幅は、メジャテープを用いて手によって、又計測機を用いることによって測定され得る。いくつかの例としては、本開示の高密度区域の縦横比は、１、２、３、４、５、６、７、８、約２〜約１００の範囲、又は約２〜約２００の範囲であり得、具体的にはこれらの範囲内の０．１刻みの全て、及びこれらの範囲内に又はこれらの範囲によって形成される範囲の全てが列挙される。
【０１０６】
高密度区域又は主繊維結合部のパターン、及びこれらの基材３０２及び３０４の一方又は両方全体にわたる位置決めが、背景パターン又はマクロパターンのいずれかを形成する特定のテクスチャゾーンが、どの程度のテクスチャすなわちしわの範囲を有し得るかを決定づける。特定のテクスチャゾーンにおけるテクスチャの種類又はしわの範囲はまた、１又は複数の基材における高密度区域のパターン、１又は複数の基材における主繊維結合部のパターン、及び特定のテクスチャゾーン内の接着剤パターンのうちの２の組み合わせの結果でもあり得る。
【０１０７】
一実施形態では、１又は複数のテクスチャゾーン（例えば１、２、３、４など）を有するベルト部分の製造方法が開示される。テクスチャゾーンは、ベルト部分内に背景パターン又はマクロパターンを形成し得る。ベルト部分は、第１基材すなわち第１不織布基材と第２基材すなわち第２不織布基材との間に配置された、複数の弾性要素すなわち弾性スタンド（elastic stands）を有し得る。本明細書で説明したように、基材はまた、その他の材料によっても形成され得る。方法は、接着剤を、要素の第１パターンで、及び少なくとも要素の第２パターンで、第１基材に塗布する工程を有し得る。要素の第１パターンは第１基材の第１領域上に位置付けられ得、要素の第２パターンは第１基材の第２領域上に位置付けられ得る。一実施形態では、パターンは重なり合わない場合があり、一方で他の実施形態では、パターンは重なり合う又は交差する場合がある。要素の接着剤パターン内の要素は、個別の要素、非直線状要素、及び／又は直線状要素であり得る。接着剤は、第１基材を例えばスロットダイアプリケータと複数の隆起した部材を有する基材キャリアとの間で断続的に圧縮することによって、第１基材に塗布されてもよい。隆起した部材の第１部分は要素の第１パターン内に位置してもよく、一方で隆起した部材の第２部分は要素の第２パターン内に位置してもよい。方法はまた、要素を用いて弾性要素の部分を第１基材に接着取り付けする工程も有し得る。伸長状態又は延ばした状態にあるときの弾性要素は第１基材に適用され、続いて延ばしていない状態又は部分的に延ばした状態に収縮させられて、部分的には、第１基材内に様々なテクスチャゾーンを作り得る。その他の実施形態では、接着剤は、要素の第１及び第２パターンで弾性要素に塗布され得、続いて伸長状態又は延ばした状態にある弾性要素が第１及び／又は第２基材に塗布され、続いて延ばしていない状態又は部分的に延ばした状態へと収縮させられ、それによって部分的には、第１基材内に様々なテクスチャゾーンを作り得る。方法はまた、第２基材を、第１基材に及び／又は少なくともいくつかの弾性要素の部分に取り付ける工程も有し得る。この取り付け工程は、第１基材の部分を第２基材の部分に結合させることにより、及び／又は弾性要素のうちの少なくともいくつかの部分を第１及び第２基材の両方に取り付けることにより達成される。要素の第１及び第２パターンは、部分的には、第１及び第２基材内に２の異なるテクスチャゾーンを形成し得る。要素の第１パターンは背景パターンを形成する第１テクスチャゾーンを形成し得、要素の第２パターンはマクロパターンを形成する第２テクスチャゾーンを形成し得る。背景パターンを形成する第１テクスチャゾーンは、第１頻度及び／又は振幅範囲を有するしわを有し得、またマクロパターンを形成する第２テクスチャゾーンは、第２異なる頻度及び／又は振幅範囲を有するしわを有し得る。追加の異なるテクスチャゾーンを所望する場合は、要素の２より大きい接着剤パターンを弾性要素に、又は第１若しくは第２基材に適用してもよい。
【０１０８】
一実施形態では、１又は複数のテクスチャゾーンを有するベルト部分の別の製造方法が開示される。ベルト部分において、第１テクスチャゾーンは背景パターンを形成し得、第２テクスチャゾーンはマクロパターンを形成し得る。ベルト部分は、第１基材と第２基材との間に配置された１又は複数の弾性要素すなわち弾性スタンドを有し得る。方法は、第１基材をスロットダイアプリケータと基材キャリアとの間で断続的に圧縮することにより、接着剤を第１基材に塗布する工程を有し得る。基材キャリアは、パターン内に位置する複数の隆起した要素を有し得、接着剤はパターン内の第１基材に塗布され得る。基材キャリアは、エンドレスベルト又はローラーであり得る。接着剤は、要素の第１パターンで、及び要素の第２パターンで、第１基材に塗布され得る。要素の第１パターンは第１基材の第１領域上に位置付けられ得、要素の第２パターンは第１基材の第２領域上に位置付けられ得る。一実施形態では、パターンは重なり合わない場合があり、一方で他の実施形態では、パターンは重なり合う又は交差する場合がある。要素は個別の要素、非直線状要素、及び／又は直線状要素であり得る。方法はまた、弾性要素が伸長状態又は延ばした状態にあるときに、接着剤を用いて弾性要素のうち少なくともいくつかの部分を係合させる工程も有し得る方法はまた、第２基材を第１基材に、及び／又は１若しくは複数の弾性要素に取り付ける工程も有し得る。弾性要素が第１及び／又は第２基材に接着剤取り付けされた後、弾性要素は弛緩すなわち収縮させられ、それによって第１及び／又は第２基材内に（背景パターン及びマクロパターンを形成する）テクスチャゾーンが作られる。第１及び／又は第２基材では、要素の第１パターンは背景パターンを形成する第１テクスチャゾーンと関連し、要素の第２パターンはマクロパターンを形成する第２テクスチャゾーンと関連する。第１テクスチャゾーンは第１頻度及び／又は振幅範囲を有するしわを有し得、第２テクスチャゾーンは第２異なる頻度及び／又は振幅範囲を有するしわを有し得る。追加で異なるテクスチャゾーンを所望する場合は、要素の２より大きい接着剤パターンを弾性要素に、又は第１若しくは第２基材に適用してもよい。
【０１０９】
一実施形態では、ベルト部分は、ベルト部分内の背景パターンを形成する第１テクスチャゾーン内の１又は複数の弾性要素の第１部分を接着係合させる、要素の第１接着剤パターン、及びマクロパターンを形成する第２テクスチャゾーン内の１又は複数の弾性要素の第２部分を接着係合させる、要素の第２接着剤パターンを有し得る。要素の第１接着剤パターンは、要素の第２接着剤パターンと同じであっても、又は異なっていてもよい。要素の第１接着剤パターンが要素の第２接着剤パターンと同じであるか又は実質的に同じである場合は、ベルト部分の第１基材内の主繊維結合部及び／又は高密度区域の第１パターンは、ベルト部分の第２基材内の主繊維結合部及び／又は高密度区域の第２パターンと異なる場合がある。なお要素の接着剤パターンが同じか又は実質的に同じであるその他の実施形態では、基材のうちの１は、その内部に形成された主繊維結合部及び／又は高密度区域の第１パターン、並びに主繊維結合部及び／又は高密度区域の第２パターンを有し得る。主繊維結合部及び／又は高密度区域の第１パターンは、主繊維結合部及び／又は高密度区域の第２パターンと異なる場合がある。要素の第１接着剤パターンが要素の第２接着剤パターンと異なる場合は、ベルト部分の第１基材内の主繊維結合部及び／又は高密度区域の第１パターンは、ベルト部分の第２基材内の主繊維結合部及び／又は高密度区域の第２パターンと同じか、又は実質的に同じである場合がある。また、要素のなお異なる接着剤パターンの場合は、ベルト部分の第１基材内の主繊維結合部及び／又は高密度区域の第１パターンは、ベルト部分の第２基材内の主繊維結合部及び／又は高密度区域の第２パターンと異なる場合がある。更に、要素のなお異なる接着剤パターンの場合、基材のうちの１は主繊維結合部及び／又は高密度区域の第１パターン、並びに主繊維結合部及び／又は高密度区域の第２異なるパターンを有し得る。一実施形態では、高密度区域が主繊維結合部として機能し得、追加の主繊維結合部が求められる必要はない場合がある。
【０１１０】
一実施形態では、ベルト部分は第１基材、第２基材、及び少なくとも第３基材を有し得る。１又は複数の弾性要素が、構造体の外側基材のうちの少なくとも１の上に、又は構造体の全体にわたり、少なくとも１又は２のテクスチャゾーンを形成し得る基材のいずれか又は全ての間に位置付けられ得る。
【０１１１】
一実施形態では、一般に図１７を例として参照すると、吸収性物品はトップシート、バックシート、及びトップシートとバックシートとの間に配置されるコアを有するシャーシを有し得る。吸収性物品はシャーシから延在する２のベルト部分を有し得る。ベルト部分のそれぞれは、第１基材、第２基材、及び第１基材と第２基材との間に配置された１又は複数の弾性要素を有し得る。弾性要素の部分は、第１基材に接合され得る。第２基材は、第１基材又は弾性要素の部分に接合され得る。ベルト部分はまた、第１基材内に形成される複数のしわを有する第１テクスチャゾーンを有し得る。複数のしわは、第１頻度範囲を有し得る。第１テクスチャゾーンは、ベルト部分内に背景パターンを形成し得る。ベルト部分はまた、第１基材内に形成される複数のしわを有する第２テクスチャゾーンを有し得る。複数のしわは、第２異なる頻度範囲を有し得る。第２テクスチャゾーンは、ベルト部分内にマクロパターンを形成し得る。図１７の吸収性物品は、吸収性物品及びその製造プロセスにコスト又は著しいコストを追加することなく、例えばテクスチャゾーンの形成に追加の基材を用いないこと、改善されたフィット及び快適感を提供すること、審美的に心地良い外観を有すること、並びに衣服又は肌着により似ていることなど、従来技術の吸収性物品を上回る多くの利益を提供し得る。
【０１１２】
一実施形態では、吸収性物品は、トップシート、バックシート、及びトップシートとバックシートとの間に少なくとも部分的に配置されるコアを有するシャーシを有し得る。吸収性物品はシャーシから延在する１又は２のベルト部分を有し得る。ベルト部分は、約５〜約２０、若しくは約５〜約２５の範囲のテクスチャ比（又は本明細書内で指定されるその他のテクスチャ比）を有する伸縮性部分をそれぞれ有し得る。伸縮性部分は単一の均一なテクスチャを形成し得る。吸収性物品は長手方向軸線を有する。単一の均一なテクスチャは、長手方向軸線に対して平行な方向に直線状又は非直線状であり得る。伸縮性部分は、互いに接着接合又はその他の方法で接合された２以上の基材又は２以上の不織布基材を有し得る。ベルト部分の全坪量は、下記で説明する坪量法に従って測定した２０ｇｓｍ〜１００ｇｓｍ、２５ｇｓｍ〜９０ｇｓｍ、３５ｇｓｍ〜７０ｇｓｍ、又は４０ｇｓｍ〜６０ｇｓｍの範囲であってもよく、具体的には指定される範囲内の０．５ｇｓｍ刻みの全て、及び指定される範囲内に又は指定される範囲によって形成される全ての範囲が列挙される。
【０１１３】
一実施形態では、吸収性物品は、トップシート、バックシート、及びトップシートとバックシートとの間に少なくとも部分的に配置されるコアを有するシャーシを有し得る。吸収性物品はシャーシから延在する１又は複数のベルト部分を有し得る。ベルト部分は、第１基材、第１基材に接合した第２基材、及び第１基材と第２基材との間に配置される複数の細長い弾性要素をそれぞれ有し得る。ベルト部分は、５より大きく、２５未満のテクスチャ比（及び本明細書で言及されるその他のテクスチャ比）をそれぞれ有する１又は複数のテクスチャゾーンそれぞれ有し得る。各弾性要素間の距離は、少なくとも４ｍｍで、かつ３５ｍｍ未満（又は本明細書に指定されたその他の距離）であり得る。細長い弾性要素は、第１基材の部分又は第２基材の部分に対して接着接合又はその他の方法で接合されてもよい。
【０１１４】
高密度区域測定法
寸法測定は、反射モード時に少なくとも２４００ｄｐｉの解像度でスキャンが可能なフラットベッドスキャナを用いて、生成された画像上で実施される（好適なスキャナはＥｐｓｏｎ  Ｐｅｒｆｅｃｔｉｏｎ  Ｖ７５０  Ｐｒｏ，Ｅｐｓｏｎ，ＵＳＡである）。解析はＩｍａｇｅＪソフトウェア（Ｎａｔｉｏｎａｌ  Ｉｎｓｔｉｔｕｔｅｓ  ｏｆ  Ｈｅａｌｔｈ，ＵＳＡ製）又は同等の画像解析ソフトウェアを用いて実施し、続いて認定ＮＩＳＴ定規に対して較正される。試料は、約２３℃±２℃及び約５０％±２％の相対湿度で、試験前に約２時間にわたって、事前に調湿される。
【０１１５】
試験片を得るために、吸収性物品の衣類に面する表面から積層体を慎重に取り除く。続いて、積層体を引き伸ばしてしわを除去し、積層体から３５ｍｍ×３５ｍｍの正方形を切り出してから、積層体を不透明の黒色裏地上に、着用者に面する表面を裏地に面して装着する。
【０１１６】
スキャナを、反射モード、２４００ｄｐｉで、８ビットのグレースケール画像を得るようにセットする。取り付けた試験片を、衣類に面する表面が下に面するようにフラットベッドスキャナ上に設置する。定規を試験片に直接隣接させて設置する。スキャナのカバーを閉じ、積層体の試験片と定規とからなる画像を取得して保存する。画像ファイルをＩｍａｇｅＪソフトウェアで開き、画像化された定規を用いて直線較正を実施する。
【０１１７】
寸法測定は、３の同一な吸収性物品の対応する部位から得た試験片のそれぞれのランダムな部位で３回実施する。９つの値は平均化されて、０．０１単位で記録される。
【０１１８】
特定の高密度区域に束縛されることなしに、図２５Ａを下記の寸法測定を例示する一例として参照する。これらの手段は、その他の高密度の形状及びパターンにも同様に適用が可能である。
【０１１９】
長さ（Ｌ）：高密度区域は最大測定可能長さ（即ち高密度区域の最長部分）を有するプロファイルを有する。プロファイル上の長手方向長さに沿って最も遠く離れた２の点から形成される形状長さ線（shape length line）を特定する。プロファイル上のこれらの点を用いて（sing）、プロファイルを貫いて線を引く。測定器具を用いて、プロファイル上の最遠点間の線分に沿って０．０１ｍｍ単位で長さを測定する。
【０１２０】
幅（Ｗ）：高密度区域は最大の測定可能幅（すなわち高密度区域の最幅広部分）を有するプロファイルを有する。上記の形状長さ線と平行に、形状長さ線から最も離れた１又は複数の最外部におけるプロファイルの接線である２本の線を引く。測定器具を用いて、形状長さ線に対して垂直である線分に沿った２本の接線の間の幅を、０．０１ｍｍの単位で測定する。
【０１２１】
縦横比：高密度区域の縦横比は、最大測定可能長さＬを最大測定可能幅Ｗで割った比である。縦横比を０．０１ｍｍ単位で記録する。
【０１２２】
外周長さ（Ｐ）：高密度区域又は結合部位の外周は、フリーハンドの選択器具を用いて手動で外周をトレースすることで測定され得る。外周長さを０．０１ｍｍ単位で記録する。
【０１２３】
坪量方法
フリーズスプレー又はベルト部分の基材の破損を避けるための好適な方法を用いて、吸収性物品からベルト部分を取り外す。吸収性物品がパンツである場合は、シーム領域の長手方向軸線に沿ってベルトを裁断して、ベルトを前側ベルト部分と後側ベルト部分とに分割し、各ベルト部分を水平作業台の上に平らに敷く。各ベルト部分に対して、以下の工程を実行する。
切断されたベルト部分の１の縁部に沿ってテープを用いて、切断されたベルト部分を作業台に固定する。選択された縁部はしわの最長寸法に対して垂直の方向、すなわち横断方向に延在するはずである。
【０１２４】
切断されたベルト部分を引き伸ばしてしわを除去してから、テーピングされた縁部とは対向する縁部を、テープを用いて水平作業台に固定する。
【０１２５】
切断されたベルト部分の長手方向及び横方向の寸法を、認証されたＮＩＳＴ定規に対して較正され、かつ精度が０．５ｍｍまでの定規を用いて測定する。寸法を０．５ｍｍ単位で記録する。
【０１２６】
各ベルト部分の長手方向及び横方向の寸法を用いて、ベルト部分の面積を０．０００００１ｍ２単位で計算する。
【０１２７】
同じ切断されたベルト部分の質量を、精度が０．０１ｇまでのスケールを用いてグラム単位で測定する。
【０１２８】
切断されたベルト部分の測定された質量を、切断されたベルト部分の計算された面積で割る。
【０１２９】
この方法を、ベルト部分を有する１０個の吸収性物品に対して、各吸収性物品の各ベルト部分上の同じ位置から試料を採取しながら繰り返す。
【０１３０】
適用可能な場合は、１０個の試料の前側ベルト部分と後側ベルト部分のそれぞれの平均を０．１ｇ／平方メートル単位で記録して、ベルト部分の坪量を得る。
【０１３１】
しわ長さ、しわ頻度、しわ振幅、弾性要素間隔、テクスチャ比法
しわ長さ（ｍｍ）、及びしわ振幅の測定は、画像解析を備えた光学顕微鏡法によって行う。好適な計器は、アダプタＯＬ−３５及びレンズＭＸＧ  １０−Ｃを装着したＨＩＲＯＸ顕微鏡（モデルＫＨ７７００）、又はその同等物である。外部白色光源が用いられる。画像は、ＨＩＲＯＸソフトウェア（バージョン２．１０Ｃ）又は同等の３Ｄ画像解析ソフトウェアを用いて、取得及び解析される。試料は、約２３℃±２℃及び約５０％±２％の相対湿度で、試験前に約２時間にわたって、事前に調湿される。
【０１３２】
試験片を得るために、ベルト部分の基材の破損を避けるために、フリーズスプレー又は他の好適な方法を用いて、吸収性物品からベルト部分を慎重に取り外す。ベルト部分内の単一のテクスチャゾーンから、はさみ又はその他の好適な切断器具を用いて、正方形の各辺が３５ｍｍに等しい３の正方形を切断する。３の３５ｍｍ×３５ｍｍ正方形が単一のテクスチャゾーンから得られない場合は、他の同じ吸収性物品の他の同じベルト部分から追加の正方形を切断する。前側ベルト部分が第１試験片を得るために用いられる場合は、前側ベルト部分は第２及び第３試験片を得るためにも用いられるべきである。後側ベルト部分についても同様である。正方形は、ベルト部分が吸収性物品上に配置されているとき、２の辺がベルト部分の機械方向に対して平行であり、２の辺がベルト部分の交差方向に平行である。
【０１３３】
試験片を、衣類に面する表面が顕微鏡ステージの反対を向くように、顕微鏡ステージ上に設置する。試料をステージの中央に置く。下側のしわ表面の位置（衣類に面する表面のトラフの底部）及び上側のしわ表面の位置（衣類に面する表面のピーク）がソフトウェアで画像の三次元レンダリングを作成するように注意しながら、外部白色光源を点灯させて、画像に焦点を合わせる。画像を取得して保存する。画像解析ソフトウェアの測定ツールを用いて、２の弾性要素の中間の位置におけるプロファイルを観測する。（０．２５ｍｍより大きい振幅を有するしわの）しわのピーク間の長さを測定する（１試験片ごとに３回測定）。これらの長さの測定は、第１試験片上のランダムな部位において、及び他の２の試験片の対応する部位から、３回にわたり行う。９つの長さ値を平均化し、平均しわ長さとして０．００１ｃｍ単位で記録する。画像及び測定値を保存して、試験片を保持する。
【０１３４】
平均しわ振幅を、画像解析ソフトウェアを用いて測定する。振幅とは、しわのピークと隣接するしわのトラフとの間の垂直の距離である。画像解析ソフトウェアの測定ツールを用いて、２の弾性要素の中間の位置におけるプロファイルを観測する。しわのピークと隣接するしわのトラフとの間の垂直（Ｚ方向）長さを測定する（１試験片ごとに３回測定）。これらの振幅の測定は、第１試験片上のしわ長さ測定におけるものと同じ部位において、及び他の２の試験片の対応する部位から、３回にわたり行う。９つのしわ振幅値を平均化し、平均しわ振幅として０．０００１ｃｍ単位で記録する。
【０１３５】
しわ頻度を１ｃｍあたりのしわの数として定義する。平均しわ頻度を平均しわ長さの逆数を取ることで計算して、０．１しわ／ｃｍ単位で記録する。
【０１３６】
認証されたＮＩＳＴ定規に対して較正され、かつ精度が０．５ｍｍまでの定規を用いて、試験片内で測定されたしわの位置に対応する弾性要素間の距離を測定する。１試験片あたり少なくとも３の弾性要素の間隔を測定して、それを３の試験片に対して繰り返す。９つの値を平均化することで平均弾性要素間隔（ｃｍ）を得て、０．０１ｃｍ単位で記録する。
【０１３７】
平均弾性要素間隔（ｃｍ）を平均しわ長さ（ｃｍ）で割って「テクスチャ比」を計算し、テクスチャ比を０．１単位で記録する。
【実施例】
【０１３８】
非限定的な実施形態の一例では、本開示のベルト部分は、ＸＹ−Ｓ７０−２６の商品名でＡｖｇｏｌ，Ｉｓｒａｅｌから供給される、約１０ｇｓｍの不織布材料からなる第１基材を用いる。ベルト部分の第２基材には、ＮＷ８０１９．０００の商品名でＭｉｔｓｕｉ，Ｊａｐａｎから提供される４５ｇｓｍの不織布材料を用いる。Ｃｒｅｏｒａの商標名でＨｙｏｓｕｎｇ，Ｋｏｒｅａから供給される約６８０デシテックスの線密度を有する弾性ストランドを、Ｂｏｓｔｉｋ，Ｗｉｓｃｏｎｓｉｎ，ＵＳＡ製Ｈ２４０１接着剤を用いて、第１基材に接着取り付けする。背景パターンを形成する第１テクスチャゾーンは、弾性ストランドを約７ｍｍ間隔で離間配置することによって、また、第１及び第２基材を組み合わせる前にＮｏｒｄｓｏｎ製Ｕｎｉｖｅｒｓａｌ接着剤アプリケータ及びＮｏｒｄｓｏｎ製ｓｕｒｅ−ｗｒａｐ接着剤ノズルを用いることによって、吸収性物品のベルト部分内に作られる。マクロパターンを形成する第２テクスチャゾーンは、図２２Ｅに示すように、第１及び第２基材を組み合わせる前に直径約５ｍｍの接着剤の点を用いてＨ２４０１接着剤を第２基材に塗布することによって吸収性物品のベルト部分に作られる。これらの背景パターン（３３４）及びマクロパターン（３３６）は、図１７に示すテクスチャ及び図１８の白色部分のテクスチャを形成する。
【０１３９】
テクスチャ比の比較実施例
下記のチャート１に示す通り、しわ長さ、しわ頻度、しわ振幅、弾性要素間隔、及びテクスチャ比法を用いて、競合する吸収性物品及び本開示の吸収性物品の様々なテクスチャゾーンを試験した。競合する吸収性物品は、概して前側と後側とで同じテクスチャを有していた。一部の競合する吸収性物品では前側が用いられ、他の競合する吸収性物品では後側が用いられた。前側／後側が用いられた場合は、前側／後側は、その特定の競合する吸収性物品全体の試験に用いられた。
チャート１
【０１４０】
【表１】
2018134435.tif 000003
【０１４１】
本開示のテクスチャゾーンの試料は、しわ長さ、しわ頻度、しわ振幅、弾性要素間隔、及びテクスチャ比法を用いて６．０のテクスチャ比を示した。試験した競合する吸収性物品のテクスチャゾーンで判明した最高テクスチャ比はわずか４．６であり、最も競合する吸収性物品のテクスチャ比は４．６をはるかに下回っていた。図２６及び２７は、本開示の吸収性物品のテクスチャゾーンのテクスチャ比と比較した、試験した競合する吸収性物品のテクスチャゾーンのテクスチャ比のグラフを示す。図２６は、ｙ軸に沿った平均弾性間隔（ｃｍ）と比較した、ｘ軸に沿った平均しわ長さ（ｃｍ）のグラフを示す。図２７は、本開示の吸収性物品のテクスチャゾーンのテクスチャ比と比較した、試験した競合する吸収性物品のテクスチャゾーンのテクスチャ比の別のグラフを示す。分かるように、本開示の吸収性物品のテクスチャゾーンベルト部分のテクスチャ比は、試験した競合する吸収性物品よりも高く、それによって、吸収性物品の製造にコスト又は著しいコスト追加することなしに、本開示の吸収性物品に、改善されたフィット、快適感、審美的に心地良い外観、及び衣服又は肌着により似通った製品がもたらされる。約６．０のテクスチャ比を有するテクスチャゾーンの例が、例えば図２０Ａに示される。
【０１４２】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【０１４３】
任意の相互参照又は関連特許若しくは関連出願を包含する全ての文献は、明確に除外ないしは別の方法で限定されない限り、参照によりその全体を本明細書に組み込まれる。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１４４】
本開示の特定の実施形態について説明し記載したが、本発明の趣旨及び範囲から逸脱することなく他の様々な変更及び修正が可能であることを当業者は理解するであろう。したがって、本発明の範囲内にあるそのようなすべての変更及び修正を添付の特許請求の範囲で扱うものとする。
【図１】
2018134435.tif 000004
【図１Ａ】
2018134435.tif 000005
【図２】
2018134435.tif 000006
【図３】
2018134435.tif 000007
【図３Ａ】
2018134435.tif 000008
【図４】
2018134435.tif 000009
【図５】
2018134435.tif 000010
【図６】
2018134435.tif 000011
【図７】
2018134435.tif 000012
【図８ａ】
2018134435.tif 000013
【図８ｂ】
2018134435.tif 000014
【図８ｃ】
2018134435.tif 000015
【図８ｄ】
2018134435.tif 000016
【図８ｅ】
2018134435.tif 000017
【図８ｆ】
2018134435.tif 000018
【図８ｇ】
2018134435.tif 000019
【図９】
2018134435.tif 000020
【図１０Ａ】
2018134435.tif 000021
【図１０Ｂ】
2018134435.tif 000022
【図１０Ｃ】
2018134435.tif 000023
【図１０Ｄ】
2018134435.tif 000024
【図１０Ｅ】
2018134435.tif 000025
【図１０Ｆ】
2018134435.tif 000026
【図１１】
2018134435.tif 000027
【図１２】
2018134435.tif 000028
【図１３】
2018134435.tif 000029
【図１４】
2018134435.tif 000030
【図１５】
2018134435.tif 000031
【図１６】
2018134435.tif 000032
【図１７】
2018134435.tif 000033
【図１８】
2018134435.tif 000034
【図１９】
2018134435.tif 000035
【図１９Ａ】
2018134435.tif 000036
【図２０Ａ】
2018134435.tif 000037
【図２０Ｂ】
2018134435.tif 000038
【図２０Ｃ】
2018134435.tif 000039
【図２０Ｄ】
2018134435.tif 000040
【図２０Ｅ】
2018134435.tif 000041
【図２０Ｆ】
2018134435.tif 000042
【図２１Ａ】
2018134435.tif 000043
【図２１Ｂ】
2018134435.tif 000044
【図２１Ｃ】
2018134435.tif 000045
【図２１Ｄ】
2018134435.tif 000046
【図２１Ｅ】
2018134435.tif 000047
【図２１Ｆ】
2018134435.tif 000048
【図２１Ｇ】
2018134435.tif 000049
【図２２Ａ】
2018134435.tif 000050
【図２２Ｂ】
2018134435.tif 000051
【図２２Ｃ】
2018134435.tif 000052
【図２２Ｄ】
2018134435.tif 000053
【図２２Ｅ】
2018134435.tif 000054
【図２２Ｆ】
2018134435.tif 000055
【図２３Ａ】
2018134435.tif 000056
【図２３Ｂ】
2018134435.tif 000057
【図２４】
2018134435.tif 000058
【図２５Ａ】
2018134435.tif 000059
【図２５Ｂ】
2018134435.tif 000060
【図２６】
2018134435.tif 000061
【図２７】
2018134435.tif 000062